(57)【特許請求の範囲】
【請求項１】
無線中継通信システムにおける中継局の動作方法において、
上位ノードから第１データを受信する過程と、
前記第１データを第１下位ノードへ送信する過程と、
前記上位ノードから第２データを受信する過程と、
前記第２データを第２下位ノードへ送信する過程と、
前記中継局からの前記第１データ及び前記第２データのうち少なくとも一つの受信に対する応答として、前記第１下位ノード及び前記第２下位ノードのうち少なくとも一つから確認情報アイテム（ａｃｋｎｏｗｌｅｄｇｅｍｅｎｔ  ｉｎｆｏｒｍａｔｉｏｎ  ｉｔｅｍ）を受信する過程と、
単一送信時間フレーム（ａ  ｓｉｎｇｌｅ  ｔｒａｎｓｍｉｓｓｉｏｎ  ｔｉｍｅｆｒａｍｅ）に該当する同じ時点で前記受信した確認情報アイテムをまとめて前記上位ノードへ送信する過程と、を含み、
前記確認情報アイテムは前記第１下位ノード及び前記第２下位ノードのうち少なくとも一つへ送信されたデータに対する応答として生成されたＡＣＫ（Ａｃｋｎｏｗｌｅｄｇｅｍｅｎｔ）又はＮＡＣＫ（Ｎｅｇａｔｉｖｅ  ＡＣＫ）であることを特徴とする方法。
【請求項２】
前記上位ノードは、基地局又は上位中継局であることを特徴とする請求項１に記載の方法。
【請求項３】
前記第１下位ノード及び前記第２下位ノードは、下位中継局又は端末であることを特徴とする請求項１または２に記載の方法。
【請求項４】
前記複数の確認情報アイテムを前記上位ノードへ送信する過程は、
前記複数の確認情報アイテムを送信するための制御チャネル情報を確認する過程と、
前記制御チャネル情報で確認された領域を利用して、前記複数の確認情報アイテムを同じ時点で前記上位ノードへ送信する過程と、を含み、
前記制御チャネル情報は前記上位ノードから提供されることを特徴とする請求項１から３のいずれかに記載の方法。
【請求項５】
前記複数の確認情報アイテムを前記上位ノードへ送信する過程は、
前記制御チャネル情報に基づいて前記下位ノードの固有識別子別に割り当てられた領域を確認する過程と、
前記下位ノード別に割り当てられた領域に前記複数の確認情報アイテムを割り当て同じ時点で複数の情報を前記上位ノードへ送信する過程と、をさらに含むことを特徴とする請求項４に記載の方法。
【請求項６】
前記複数の確認情報アイテムを前記上位ノードへ送信する過程は、
前記データ受信に対する応答で前記複数の確認情報アイテムのデータを確認する過程と、
前記上位ノードからスケジューリング情報を含む前記データの順序を確認する過程と、
前記スケジューリング情報での前記データの前記順序に応じて、前記制御チャネルで確認された前記領域に対する該当データの前記データ受信に対する応答で前記複数の確認情報アイテムを順次割り当てる過程と、
前記順次割り当てた複数の確認情報アイテムを前記上位ノードへ送信する過程と、をさらに含むことを特徴とする請求項４に記載の方法。
【請求項７】
前記スケジューリング情報は、マップ（ＭＡＰ）情報であることを特徴とする請求項６に記載の方法。
【請求項８】
前記複数の確認情報アイテムを前記上位ノードへ送信する過程は、
データ受信に対する応答で前記複数の確認情報アイテムの情報リストを確認する過程をさらに含み、前記複数の確認情報アイテムは前記複数の確認情報アイテムの送信時点に応じて前記上位ノードへ送信され、
前記複数の確認情報アイテムを順次割り当てる過程は、
前記制御チャネル情報から確認された前記領域に前記下位ノードから受信した前記複数の確認情報アイテムの中から前記情報リストの複数の情報を順次割り当てる過程をさらに含むことを特徴とする請求項６または７に記載の方法。
【請求項９】
前記情報リストは、前記上位ノードから放送情報又は別途の制御チャネルを介して提供されることを特徴とする請求項８に記載の方法。
【請求項１０】
前記第１データを受信した後、前記第１データでエラー発生の有無を検査する過程と、
前記第２データを受信した後、前記第２データでエラー発生の有無を検査する過程と、
前記第１データ及び前記第２データの受信に対する応答で情報を生成する過程と、をさらに含み、
前記複数の確認情報アイテムを前記上位ノードへ送信する過程は、
生成された情報と前記下位ノードから受信した前記複数の確認情報アイテムを前記上位ノードに同じ時点で送信する過程を含み、
前記第１データを送信する過程は、
前記第１データにエラーがない場合、前記第１データを前記第１下位ノードへ送信する過程を含み、
前記第２データを送信する過程は、
前記第２データにエラーがない場合、前記第２データを前記第２下位ノードへ送信する過程を含むことを特徴とする請求項１から９のいずれかに記載の方法。
【請求項１１】
前記複数の確認情報アイテムを前記上位ノードへ送信する過程は、
前記複数の確認情報アイテムを送信するための制御チャネル情報を確認する過程と、
前記制御チャネル情報で確認された領域を利用して、前記生成された情報と前記下位ノードから受信した前記複数の確認情報アイテムを前記上位ノードに同じ時点で送信する過程と、をさらに含み、
前記制御チャネル情報は前記上位ノードから受信することを特徴とする請求項１０に記載の方法。
【請求項１２】
前記複数の確認情報アイテムを前記上位ノードへ送信する過程は、
前記生成した情報と前記下位ノードから提供された前記複数の確認情報アイテムのエラー発生を表すデータを確認する過程と、
前記上位ノードから受信したスケジューリング情報のデータの順序を確認する過程と、
前記受信した制御情報の前記データの順序に応じて、前記制御チャネル情報から確認された前記領域に対するデータ受信に対する応答を行う時、前記複数の確認情報アイテムを順次割り当てる過程と、をさらに含むことを特徴とする請求項１１に記載の方法。
【請求項１３】
前記スケジューリング情報は、マップ（ＭＡＰ）情報であることを特徴とする請求項１２に記載の方法。
【請求項１４】
無線中継通信システムにおける中継局の動作方法において、
第１下位ノードから第１データを受信する過程と、
前記第１データを上位ノードへ送信する過程と、
第２下位ノードから第２データを受信する過程と、
前記少なくとも一つの下位ノードからのアップリンクデータの受信に対する応答を行う時、前記第２データを前記上位ノードへ送信する過程と、
前記少なくとも一つの下位ノードから確認情報アイテムを受信し、前記受信した確認情報アイテムを単一送信時間フレームに該当する同じ時点でまとめて前記上位ノードへ送信する過程と、を含み、
前記確認情報アイテムはＡＣＫ（Ａｃｋｎｏｗｌｅｄｇｅｍｅｎｔ）又はＮＡＣＫ（Ｎｅｇａｔｉｖｅ  ＡＣＫ）を含むことを特徴とする方法。
【請求項１５】
前記第１下位ノード及び前記第２下位ノードは下位中継局又は端末であることを特徴とする請求項１４に記載の方法。
【請求項１６】
前記上位ノードは、基地局又は上位中継局であることを特徴とする請求項１４または１５に記載の方法。
【請求項１７】
前記複数の確認情報アイテムを前記上位ノードへ送信する過程は、
前記複数の確認情報アイテムを送信するための制御チャネル情報を確認する過程と、
前記制御チャネル情報で確認された領域を利用して、前記複数の確認情報アイテムを同じ時点で前記上位ノードへ送信する過程と、を含み、
前記制御チャネル情報は前記上位ノードから提供されることを特徴とする請求項１４から１６のいずれかに記載の方法。
【請求項１８】
前記複数の確認情報アイテムを前記上位ノードへ送信する過程は、
前記制御チャネル情報に基づいてそれぞれの下位ノードの固有識別子別に割り当てられた領域を確認する過程と、
前記下位ノード別に割り当てられた領域に前記複数の確認情報アイテムを割り当て前記複数の確認情報アイテムを同じ時点で前記上位ノードへ送信する過程と、をさらに含むことを特徴とする請求項１７に記載の方法。
【請求項１９】
前記複数の確認情報アイテムを前記上位ノードへ送信する過程は、
前記複数の確認情報アイテムのエラーを表すデータを確認する過程と、
前記上位ノードからスケジューリング情報を含む前記データの順序を確認する過程と、
前記スケジューリング情報を含む前記データの順序に応じて、前記制御チャネルで確認された前記領域に対する該当データのエラーを表す前記複数の確認情報アイテムを順次割り当てる過程と、
前記順次割り当てられた複数の確認情報アイテムを前記上位ノードへ送信する過程と、をさらに含むことを特徴とする請求項１７に記載の方法。
【請求項２０】
前記スケジューリング情報は、マップ（ＭＡＰ）情報であることを特徴とする請求項１９に記載の方法。
【請求項２１】
前記情報の送信時点に応じて、前記上位ノードへ送信されエラーを表す情報の情報リストを確認する過程をさらに含み、
前記複数の確認情報アイテムを順次割り当てる過程は、前記制御チャネル情報から確認された前記領域に、前記下位ノードから提供された前記複数の確認情報アイテムの中から前記情報リストの前記情報を順次割り当てる過程をさらに含むことを特徴とする請求項１９または２０に記載の方法。
【請求項２２】
前記情報リストは前記上位ノードから放送情報又は別途の制御チャネルを介して提供されることを特徴とする請求項２１に記載の方法。
【請求項２３】
前記第１データを受信した後、前記第１データでエラー発生の有無を検査する過程と、
前記第２データを受信した後、前記第２データでエラー発生の有無を検査する過程と、
前記第１データ及び前記第２データの受信に対する応答を行う時、情報を生成する過程と、をさらに含み、
前記複数の確認情報アイテムを前記上位ノードへ送信する過程は、
前記生成された情報と前記下位ノードから受信した前記複数の確認情報アイテムを前記上位ノードに同じ時点で送信する過程を含み、
前記第１データを送信する過程は、
前記第１データにエラーがない場合、前記第１データを前記上位ノードへ送信する過程を含み、
前記第２データを送信する過程は、
前記第２データにエラーがない場合、前記第２データを前記上位ノードへ送信する過程を含むことを特徴とする請求項１４から２２のいずれかに記載の方法。
【請求項２４】
前記複数の確認情報アイテムを前記上位ノードへ送信する過程は、
前記情報を送信するための制御チャネル情報を確認する過程と、
前記制御チャネル情報から確認された領域を利用して、前記生成された情報と前記下位ノードから受信した前記複数の確認情報アイテムを前記上位ノードに同じ時点で送信する過程と、をさらに含み、
前記制御チャネル情報は前記上位ノードから提供されることを特徴とする請求項２３に記載の方法。
【請求項２５】
前記複数の確認情報アイテムを前記上位ノードへ送信する過程は、
前記生成した情報と前記下位ノードから提供された前記複数の確認情報アイテムのエラーを表すデータを確認する過程と、
前記上位ノードから受信したスケジューリング情報を含むデータの順序を確認する過程と、
前記スケジューリング情報を含む前記データの順序に応じて、前記制御チャネル情報から確認された領域に対するデータ受信に対する応答を行う時、前記複数の確認情報アイテムを順次割り当てる過程と、をさらに含むことを特徴とする請求項２４に記載の方法。
【請求項２６】
前記スケジューリング情報は、マップ（ＭＡＰ）情報であることを特徴とする請求項２５に記載の方法。
【請求項２７】
無線中継通信システムにおける上位ノードの動作方法において、
下位中継局から少なくとも一つの下位ノードへ送信されたデータに対する応答を行う時、情報を受信するための制御チャネルを割り当てる過程と、
前記下位中継局に前記制御チャネルの割り当て情報を送信する過程と、
前記割り当て情報に応じて単一受信時間フレームに該当する同じ時点で前記下位中継局から複数の確認情報アイテムを受信する過程と、を含み、
前記上位ノードからのデータ受信に対する応答を行う時、前記複数の確認情報アイテムは前記少なくとも一つの下位ノードで生成され、
前記複数の確認情報アイテムのそれぞれはＡＣＫ（Ａｃｋｎｏｗｌｅｄｇｅｍｅｎｔ）又はＮＡＣＫ（Ｎｅｇａｔｉｖｅ  ＡＣＫ）を含むことを特徴とする方法。
【請求項２８】
前記上位ノードは、基地局又は上位中継局であることを特徴とする請求項２７に記載の方法。
【請求項２９】
前記下位ノードは、下位中継局又は端末であることを特徴とする請求項２７または２８に記載の方法。
【請求項３０】
前記制御チャネルを割り当てる過程は、
エラーを表す情報を受信する一つ又はそれ以上の下位ノードの固有識別子を確認する過程と、
前記固有識別子に基づいてエラーを表す前記情報に対する制御チャネルを割り当てる過程と、を含むことを特徴とする請求項２７から２９のいずれかに記載の方法。
【請求項３１】
前記制御チャネルを割り当てる過程は、
エラーを表す情報を受信する少なくとも一つの下位ノードを決定する過程と、
前記少なくとも一つの下位ノードに対する情報を前記下位中継局へ送信する過程と、
前記下位中継局から前記少なくとも一つの下位ノードのエラーを表す情報を受信するための制御チャネルを割り当てる過程と、を含むことを特徴とする請求項２７から３０のいずれかに記載の方法。
【請求項３２】
前記制御チャネルを割り当てる過程は、
前記下位中継局から前記少なくとも一つの下位ノードのエラーを表す前記情報を受信するための領域の開始点情報と終点情報を決定する過程をさらに含むことを特徴とする請求項３１に記載の方法。
【請求項３３】
無線中継通信システムの中継局装置において、
第１データ及び第２データを上位ノードから受信する受信部と、
前記第１データを第１下位ノードへ送信し、前記第２データを第２下位ノードへ送信する送信部と、を含み、
前記第１データ及び前記第２データのうち少なくとも一つの受信に対する応答を行う時、前記受信部は前記第１下位ノード及び前記第２下位ノードのうち少なくとも一つから確認情報アイテムを受信し、
前記送信部は前記受信した確認情報アイテムを単一伝送時間フレームに該当する同じ時点でまとめて前記上位ノードへ送信し、
前記確認情報アイテムはＡＣＫ（Ａｃｋｎｏｗｌｅｄｇｅｍｅｎｔ）又はＮＡＣＫ（Ｎｅｇａｔｉｖｅ  ＡＣＫ）を含むことを特徴とする装置。
【請求項３４】
前記上位ノードは、基地局又は上位中継局であることを特徴とする請求項３３に記載の装置。
【請求項３５】
前記第１下位ノード及び前記第２下位ノードのいずれか一つは下位中継局又は端末であることを特徴とする請求項３３または３４に記載の装置。
【請求項３６】
前記第１データ及び第２データでエラーを検査する検査部をさらに含み、
前記送信部は、前記上位ノードから受信したデータにエラーがない場合、前記データを前記第１下位ノード、前記第２下位ノードのいずれか一つへ送信することを特徴とする請求項３３から３５のいずれかに記載の装置。
【請求項３７】
前記受信部は、前記上位ノードから提供された前記複数の確認情報アイテムを送信するための制御チャネル情報を確認することを特徴とする請求項３３から３６のいずれかに記載の装置。
【請求項３８】
前記送信部は、
前記上位ノードからのスケジューリング情報を含むデータの順序に応じて前記制御チャネル情報から確認された領域に対して前記複数の確認情報アイテムを順次割り当て前記上位ノードに対する該当データの中から前記複数の確認情報アイテムと前記下位ノードから提供された情報を前記上位ノードへ送信することを特徴とする請求項３７に記載の装置。
【請求項３９】
前記第１データ及び第２データでエラーを検査する検査部と、
前記検査部が確認した前記第１データ及び前記第２データのエラーを表す情報を生成する情報生成部と、をさらに含み、
前記送信部は前記生成した情報と前記複数の確認情報アイテムと前記下位ノードから提供される情報とを同じ時点で前記上位ノードへ送信することを特徴とする請求項３３に記載の装置。
【請求項４０】
無線中継通信システムの中継局装置において、
第１データを第１下位ノードから受信し、第２データを第２下位ノードから受信する受信部と、
前記第１データ及び前記第２データを上位ノードへ送信する送信部と、を含み、
前記少なくとも一つの下位ノードからのアップリンクデータの受信に対する応答を行う時、確認情報アイテムが前記少なくとも一つの下位ノードから受信される時、
前記送信部は単一送信時間フレームに該当する同じ時点で前記受信した確認情報アイテムをまとめて前記上位ノードへ送信し、
前記確認情報アイテムはＡＣＫ（Ａｃｋｎｏｗｌｅｄｇｅｍｅｎｔ）又はＮＡＣＫ（Ｎｅｇａｔｉｖｅ  ＡＣＫ）を含むことを特徴とする装置。
【請求項４１】
前記上位ノードは、基地局又は上位中継局であることを特徴とする請求項４０に記載の装置。
【請求項４２】
前記第１下位ノード及び前記第２下位ノードのいずれか一つは下位中継局又は端末であることを特徴とする請求項４０または４１に記載の装置。
【請求項４３】
前記第１データ及び第２データでエラーを検査する検査部をさらに含み、
前記送信部は、前記第１データにエラーがない場合、前記第１データを前記上位ノードへ送信し、前記第２データにエラーがない場合、前記第２データを前記上位ノードへ送信することを特徴とする請求項４０から４２のいずれかに記載の装置。
【請求項４４】
前記受信部は、前記上位ノードから提供された複数の情報を送信するための制御チャネル情報を確認することを特徴とする請求項４０から４３のいずれかに記載の装置。
【請求項４５】
前記送信部は、
前記上位ノードからのスケジューリング情報を含むデータの順序に応じて、前記制御チャネル情報から確認された領域に対する前記複数の情報を順次割り当て、前記上位ノードに対する該当データの中から前記第２下位ノードからのデータ受信に対する応答を行う時、前記複数の情報を送信することを特徴とする請求項４４に記載の装置。
【請求項４６】
前記第１データ及び第２データのエラーを検査する検査部と、
前記検査部が確認したデータのエラーを表す情報を生成する情報生成部と、をさらに含み、
前記送信部は前記生成した情報と複数の情報、前記下位ノードから提供された情報を同じ時点で前記上位ノードへ送信することを特徴とする請求項４１に記載の装置。
【請求項４７】
無線中継通信システムにおける中継局の動作方法において、
前記中継局からのデータ受信に対する応答で、少なくとも一つの下位ノードから確認情報アイテムを受信する過程と、
前記受信した確認情報アイテムを単一送信時間フレームに該当する同じ時点でまとめて上位ノードへ送信する過程と、を含み、
前記確認情報アイテムのそれぞれはＡＣＫ（Ａｃｋｎｏｗｌｅｄｇｅｍｅｎｔ）又はＮＡＣＫ（Ｎｅｇａｔｉｖｅ  ＡＣＫ）を含むことを特徴とする方法。
【発明の詳細な説明】
【技術分野】
【０００１】
本発明は、無線通信システムにおける自動再送信要請（Ａｕｔｏｍａｔｉｃ  Ｒｅｔｒａｎｓｍｉｓｓｉｏｎ  ｒｅＱｕｅｓｔ：以下、ＡＲＱとする）を行うための装置及び方法に関し、特に、多重ホップ中継方式を使用する無線通信システムにおけるＡＲＱのための制御メッセージを送信するための装置及び方法に関する。
【背景技術】
【０００２】
無線通信システムでは、データを送信する無線資源のチャネル状態により特定データにエラー（ｅｒｒｏｒ）が発生する。このようなエラーに対する制御及び復旧技術は、大きくＡＲＱ技法とＦＥＣ（Ｆｏｒｗａｒｄ  Ｅｒｒｏｒ  Ｃｈｅｃｋ）技法とに大別される。ここで、ＡＲＱ技法は、受信端で損失されたデータに対して送信端に再送信（ｒｅｔｒａｎｓｍｉｓｓｉｏｎ）を要請する技法である。また、ＦＥＣ技法は、受信端で損失されたデータに対するエラーを訂正する技法である。
【０００３】
無線通信システムにおいてＡＲＱ技法を使用する場合、受信端は、受信したパケットを復号してエラーが発生したか否かを確認する。このとき、受信されたパケットにエラーが発生しない場合、受信端は、送信端にＡＣＫメッセージを送信する。
【０００４】
万一、受信されたパケットにエラーが発生した場合、受信端は、送信端にＮＡＣＫメッセージを送信する。
【０００５】
送信端は、受信端からＡＣＫメッセージが受信されると、新しいパケットを送信する。一方、受信端からＮＡＣＫメッセージが受信されると、送信端は、受信端に前のパケットを再送信する。
【０００６】
最近、無線通信システムは、セルの境界や陰影地域に位置する端末に優秀な無線チャネルを提供するために、中継局を利用した中継サービスを提供する。すなわち、中継サービスを提供する無線通信システムは、中継局を利用して基地局と端末との間の送受信するデータを中継して、基地局と端末との間に優秀な無線チャネルを提供することができる。
【０００７】
そのため、中継方式を使用する無線通信システムには、中継局を利用したＡＲＱ遂行方法が必要である。
【発明の概要】
【発明が解決しようとする課題】
【０００８】
そこで、本発明の目的は、多重ホップ中継方式を使用する無線通信システムにおける自動再送信要請（Ａｕｔｏｍａｔｉｃ  Ｒｅｔｒａｎｓｍｉｓｓｉｏｎ  ｒｅＱｕｅｓｔ）のための多重制御メッセージを送信するための装置及び方法を提供することにある。
【０００９】
本発明の他の目的は、多重ホップ中継方式を使用する無線通信システムにおける自動再送信要請のために送信する多重制御メッセージのチャネルを割り当てるための装置及び方法を提供することにある。
【００１０】
本発明のさらに他の目的は、多重ホップ中継方式を使用する無線通信システムにおける自動再送信要請のために送信する多重ＡＣＫ／ＮＡＣＫの制御チャネルを割り当てるための装置及び方法を提供することにある。
【課題を解決するための手段】
【００１１】
本発明の目的を達成すべく、本発明の第１見地によれば、無線中継通信システムにおける中継局の動作方法は、上位ノードから第１データを受信する過程と、前記第１データを前記第１下位ノードへ送信する過程と、前記上位ノードから第２データを受信する過程と、前記第２データを前記第２下位ノードへ送信する過程と、前記中継局からの前記第１データ及び前記第２データのうち少なくとも一つの受信に対する応答として、前記第１下位ノード及び前記第２下位ノードのうち少なくとも一つから複数の確認情報アイテム（ａｃｋｎｏｗｌｅｄｇｅｍｅｎｔ  ｉｎｆｏｒｍａｔｉｏｎ  ｉｔｅｍ）を受信する過程と、単一送信時間フレーム（ａ  ｓｉｎｇｌｅ  ｔｒａｎｓｍｉｓｓｉｏｎ  ｔｉｍｅｆｒａｍｅ）に該当する同じ時点で前記複数の確認情報アイテムを前記上位ノードへ送信する過程と、を含む。そして、当該動作方法は、前記複数の確認情報アイテムのそれぞれは前記第１下位ノード及び前記第２下位ノードのうち少なくとも一つへ送信されたデータに対する応答として生成されたＡＣＫ（Ａｃｋｎｏｗｌｅｄｇｅｍｅｎｔ）又はＮＡＣＫ（Ｎｅｇａｔｉｖｅ  ＡＣＫ）であることを特徴とする。
【００１２】
本発明の目的を達成すべく、本発明の第２見地によれば、無線中継通信システムにおける中継局の動作方法は、第１下位ノードから第１データを受信する過程と、前記第１データを上位ノードへ送信する過程と、第２下位ノードから第２データを受信する過程と、前記少なくとも一つの下位ノードからのアップリンクデータの受信に対する応答を行う時、前記第２データを前記上位ノードへ送信する過程と、前記少なくとも一つの下位ノードから複数の確認情報アイテムを受信し、前記複数の確認情報アイテムを単一送信時間フレームに該当する同じ時点で前記上位ノードへ送信する過程と、を含む。そして、当該動作方法は、前記複数の確認情報アイテムのそれぞれはＡＣＫ（Ａｃｋｎｏｗｌｅｄｇｅｍｅｎｔ）又はＮＡＣＫ（Ｎｅｇａｔｉｖｅ  ＡＣＫ）を含むことを特徴とする。
【００１３】
本発明の目的を達成すべく、本発明の第３見地によれば、無線中継通信システムにおける上位ノードの動作方法は、下位中継局から少なくとも一つの下位ノードへ送信されたデータに対する応答を行う時、情報を受信するための制御チャネルを割り当てる過程と、前記下位中継局に前記制御チャネルの割り当て情報を送信する過程と、前記割り当て情報に応じて単一受信時間フレームに該当する同じ時点で前記下位中継局から複数の確認情報アイテムを受信する過程と、を含む。そして、当該動作方法は、前記上位ノードからのデータ受信に対する応答を行う時、前記複数の確認情報アイテムは前記少なくとも一つの下位ノードで生成され、前記複数の確認情報アイテムのそれぞれはＡＣＫ（Ａｃｋｎｏｗｌｅｄｇｅｍｅｎｔ）又はＮＡＣＫ（Ｎｅｇａｔｉｖｅ  ＡＣＫ）を含むことを特徴とする。
【００１４】
本発明の目的を達成すべく、本発明の第４見地によれば、無線中継通信システムの中継局装置は、第１データ及び第２データを上位ノードから受信する受信部と、前記第１データを第１下位ノードへ送信し、前記第２データを第２下位ノードへ送信する送信部と、を含む。当該中継局装置は、前記第１データ及び前記第２データのうち少なくとも一つの受信に対する応答を行う時、前記受信部は前記第１下位ノード及び前記第２下位ノードのうち少なくとも一つから複数の確認情報アイテムを受信し、前記送信部は受信した前記複数の確認情報アイテムを単一伝送時間フレームに該当する同じ時点で前記上位ノードへ送信し、前記複数の確認情報アイテムのそれぞれはＡＣＫ（Ａｃｋｎｏｗｌｅｄｇｅｍｅｎｔ）又はＮＡＣＫ（Ｎｅｇａｔｉｖｅ  ＡＣＫ）を含むことを特徴とする。
【００１５】
本発明の目的を達成すべく、本発明の第５見地によれば、無線中継通信システムの中継局装置は、第１データを第１下位ノードから受信し、第２データを第２下位ノードから受信する受信部と、前記第１データ及び前記第２データを上位ノードへ送信する送信部と、を含む。当該中継局装置は、前記少なくとも一つの下位ノードからのアップリンクデータの受信に対する応答を行う時、複数の確認情報アイテムが前記少なくとも一つの下位ノードから受信される時、前記送信部は単一送信時間フレームに該当する同じ時点で前記複数の確認情報アイテムを前記上位ノードへ送信し、前記複数の確認情報アイテムのそれぞれはＡＣＫ（Ａｃｋｎｏｗｌｅｄｇｅｍｅｎｔ）又はＮＡＣＫ（Ｎｅｇａｔｉｖｅ  ＡＣＫ）を含むことを特徴とする。
【００１６】
本発明の目的を達成すべく、本発明の第６見地によれば、無線中継通信システムにおける中継局の動作方法は、前記中継局からのデータ受信に対する応答で、少なくとも一つの下位ノードから複数の確認情報アイテムを受信する過程と、前記複数の確認情報アイテムを単一送信時間フレームに該当する同じ時点で上位ノードへ送信する過程と、を含み、前記複数の確認情報アイテムのそれぞれはＡＣＫ（Ａｃｋｎｏｗｌｅｄｇｅｍｅｎｔ）又はＮＡＣＫ（Ｎｅｇａｔｉｖｅ  ＡＣＫ）を含むことを特徴とする。
【図面の簡単な説明】
【００１７】
【図１】本発明による多重ホップ中継方式を使用する無線通信システムの構成を示す図である。
【図２】本発明の実施の形態による多重ホップ中継方式を使用する無線通信システムにおけるダウンリンクデータの送信手順を示す図である。
【図３】本発明の実施の形態による多重ホップ中継方式を使用する無線通信システムにおけるダウンリンクデータに対するＡＣＫ／ＮＡＣＫのスケジューリング情報を送信するためのフレーム構造を示す図である。
【図４】本発明の実施の形態による多重ホップ中継方式を使用する無線通信システムにおけるダウンリンクデータに対するＡＣＫ／ＮＡＣＫのスケジューリング情報を送信するためのフレーム構造を示す図である。
【図５】本発明の実施の形態による多重ホップ中継方式を使用する無線通信システムにおけるアップリンクデータの送信手順を示す図である。
【図６】本発明の実施の形態による多重ホップ中継方式を使用する無線通信システムにおけるアップリンクデータに対するＡＣＫ／ＮＡＣＫのスケジューリング情報を送信するためのフレーム構造を示す図である。
【図７】本発明の実施の形態による多重ホップ中継方式を使用する無線通信システムにおけるアップリンクデータに対するＡＣＫ／ＮＡＣＫのスケジューリング情報を送信するためのフレーム構造を示す図である。
【図８】本発明の実施の形態による多重ホップ中継方式を使用する無線通信システムにおけるＡＲＱを行うための中継局の動作手順を示す図である。
【図９】本発明の実施の形態による多重ホップ中継方式を使用する無線通信システムにおけるＡＲＱを行うための基地局の動作手順を示す図である。
【図１０】本発明による多重ホップ中継方式を使用する無線通信システムにおける中継局のブロック構成を示す図である。
【図１１】本発明の他の実施の形態による多重ホップ中継方式を使用する無線通信システムにおけるダウンリンクデータの送信手順を示す図である。
【図１２】本発明の他の実施の形態による多重ホップ中継方式を使用する無線通信システムにおけるダウンリンクデータに対するＡＣＫ／ＮＡＣＫのスケジューリング情報を送信するためのフレーム構造を示す図である。
【図１３】本発明の他の実施の形態による多重ホップ中継方式を使用する無線通信システムにおけるダウンリンクデータに対するＡＣＫ／ＮＡＣＫのスケジューリング情報を送信するためのフレーム構造を示す図である。
【発明を実施するための形態】
【００１８】
以下、本発明の好ましい実施の形態を添付された図面を参照して詳細に説明する。そして、本発明を説明するに当たって、関連した公知の機能又は構成についての具体的な説明が本発明の要旨を不明にするおそれがあると判断された場合には、その詳細な説明は省略する。
【００１９】
以下、本発明は、中継方式を使用する無線通信システムにおける自動再送信要請（Ａｕｔｏｍａｔｉｃ  Ｒｅｔｒａｎｓｍｉｓｓｉｏｎ  ｒｅＱｕｅｓｔ：以下、ＡＲＱとする）のための多重制御メッセージを送信するための技術について説明する。以下の説明は、制御メッセージのうち、ＡＣＫ／ＮＡＣＫメッセージを例に挙げて説明するが、他の制御メッセージにも同様に適用できる。
【００２０】
以下は、直交周波数分割多重接続（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）方式を使用する無線通信システムを例に挙げて説明し、他の多重接続方式の通信システムにも同様に適用可能である。
【００２１】
以下の説明で無線通信システムは、下記の図１に示すように、３ホップから構成されると仮定して説明する。しかしながら、無線通信システムが２ホップ又は多重ホップから構成される場合にも同様に適用できる。
【００２２】
図１は、本発明の実施の形態による多重ホップ中継方式を使用する無線通信システムの構成を示している。以下の説明で、第１中継局１１０は、１ホップ中継局を意味し、第２中継局１２０は、２ホップ中継局を意味する。
【００２３】
図１の無線通信システムにおいて、基地局１００は、サービス領域に含まれる端末に直接リンクを介してサービスを提供する。また、端末１３０がサービス領域の外郭又はサービス領域の外に位置する場合、基地局１００は、中継局１１０、１２０を利用した中継リンクを介して端末１３０にサービスを提供する。
【００２４】
例えば、基地局１００から端末１３０にデータを送信する場合、基地局１００は、端末１３０に送信するデータを第１中継局１１０に送信する。
【００２５】
第１中継局１１０は、基地局１００からデータが受信されると、データのエラーの発生の有無を確認する。例えば、第１中継局１１０は、データのエラーチェックコード（ＣＲＣ：Ｃｙｃｌｉｃ  Ｒｅｄｕｎｄａｎｃｙ  Ｃｈｅｃｋ）を利用してエラーの発生の有無を確認する。
【００２６】
万一、データにエラーがない場合は、第１中継局１１０は、データを第２中継局１２０に送信する。また、第１中継局１１０は、データに対するＡＣＫメッセージを基地局１００に送信する。一方、データにエラーが発生した場合、第１中継局１１０は、データに対するＮＡＣＫメッセージを基地局１００に送信する。
【００２７】
このとき、第１中継局１１０は、前のフレームの間に下位ノードから提供されたＡＣＫ／ＮＡＣＫメッセージが存在しているか否かを確認する。万一、下位ノードから提供されたＡＣＫ／ＮＡＣＫメッセージが存在する場合、第１中継局１１０は、データに対するＡＣＫ／ＮＡＣＫメッセージと下位ノードから提供されたＡＣＫ／ＮＡＣＫメッセージとを共に基地局１００に送信する。ここで、下位ノードは、第２中継局１２０又は第１中継局１１０のサービス領域に位置する端末を意味する。
【００２８】
第２中継局１２０は、第１中継局１１０からデータが受信されると、データのエラーの発生の有無を確認する。万一データにエラーがない場合、第２中継局１２０は、データを端末１３０に送信する。また、第２中継局１２０は、データに対するＡＣＫメッセージを第１中継局１１０に送信する。
【００２９】
一方、データにエラーが発生した場合、第２中継局１２０は、第１中継局１１０にデータに対するＮＡＣＫメッセージを送信する。
【００３０】
このとき、第２中継局１２０は、前のフレームの間に端末１３０から提供されたＡＣＫ／ＮＡＣＫメッセージが存在しているか否かを確認する。万一、端末１３０から提供されたＡＣＫ／ＮＡＣＫメッセージが存在する場合、第２中継局１２０は、データに対するＡＣＫ／ＮＡＣＫメッセージと端末１３０から提供されたＡＣＫ／ＮＡＣＫメッセージとを共に第１中継局１１０に送信する。
【００３１】
端末１３０は、第２中継局１２０からデータが受信されると、データのエラーの発生の有無を確認する。万一、データにエラーがない場合、端末１３０は、第２中継局１２０にデータに対するＡＣＫメッセージを送信する。一方、データにエラーが発生した場合、端末１３０は、データに対するＮＡＣＫメッセージを第２中継局１２０に送信する。
【００３２】
上述したように、無線通信システムの下位ノードは、受信データのエラーの発生の有無によるＡＣＫ／ＮＡＣＫメッセージを上位ノードへ送信する。例えば、ダウンリンクの場合、無線通信システムのノードは、下記の図２に示すように、ＡＣＫ／ＮＡＣＫメッセージを上位ノードへ送信する。また、アップリンクの場合、無線通信システムのノードは、下記の図５に示すように、ＡＣＫ／ＮＡＣＫメッセージを上位ノードへ送信する。このとき、無線通信システムは、一定の大きさのデータ送信の基本単位でデータ及びＡＣＫ／ＮＡＣＫメッセージを送受信する。以下の説明で無線通信システムは、データ送信の基本単位を一つのフレームと仮定する。このとき、フレームは、データ送信の基本物理単位であるＴＴＩ（Ｔｒａｎｓｍｉｓｓｉｏｎ  Ｔｉｍｅ  Ｉｎｔｅｒｖａｌ）を表す。すなわち、フレームは、一つのノードがデータを受信してエラーを確認した後、データ及びＡＣＫ／ＮＡＣＫメッセージを送信するまでの処理遅延時間を表す。以下、本発明では、処理遅延時間を一フレームと仮定するが、基地局、中継局及び端末の能力によっていくつかのフレームの間に処理遅延時間が発生しうる。
【００３３】
無線通信システムは、下記の図２に示すように、ダウンリンクデータに対するＡＣＫ／ＮＡＣＫメッセージを送信する。
【００３４】
図２は、本発明の実施の形態による多重ホップ中継方式を使用する無線通信システムにおけるダウンリンクデータの送信手順を示している。
【００３５】
図２に示すように、基地局２００が端末２０６にデータを送信する場合、ｉ番目のフレーム２１０の間に、基地局２００は、データ１を第１中継局２０２に送信する（ステップ２３１）。このとき、第１中継局２０２は、基地局２００から受信したデータ１に対するエラーの発生の有無を確認する。
【００３６】
（ｉ＋１）番目のフレーム２１２の間に、基地局２００は、データ２を第１中継局２０２に送信する（ステップ２３３）。このとき、第１中継局２０２は、基地局２００から受信したデータ２に対するエラーの発生の有無を確認する。
【００３７】
（ｉ＋１）番目のフレーム２１２の間に、第１中継局２０２は、データ１に対するＡＣＫ／ＮＡＣＫメッセージを基地局２００に送信する。
【００３８】
例えば、データ１にエラーが発生する場合、第１中継局２０２は、データ１に対するＮＡＣＫメッセージを基地局２００に送信する。
【００３９】
一方、データ１にエラーが発生しない場合、第１中継局２０２は、データ１に対するＡＣＫメッセージを基地局２００に送信する（ステップ２３５）。また、第１中継局２０２は、エラーの発生しないデータ１を第２中継局２０４に送信する（ステップ２３７）。このとき、第２中継局２０４は、第１中継局２０２から受信したデータ１に対するエラーの発生の有無を確認する。
【００４０】
（ｉ＋２）番目のフレーム２１４の間に、基地局２００は、データ３を第１中継局２０２に送信する（ステップ２３９）。第１中継局２０２は、基地局２００から受信したデータ３に対するエラーの発生の有無を確認する。
【００４１】
（ｉ＋２）番目のフレーム２１４の間に、第１中継局２０２は、データ２に対するＡＣＫ／ＮＡＣＫメッセージを基地局２００に送信する。
【００４２】
例えば、データ２にエラーが発生する場合、第１中継局２０２は、データ２に対するＮＡＣＫメッセージを基地局２００に送信する。
【００４３】
一方、データ２にエラーが発生しない場合、第１中継局２０２は、データ２に対するＡＣＫメッセージを基地局２００に送信する（ステップ２４１）。また、第１中継局２０２は、エラーの発生しないデータ２を第２中継局２０４に送信する（ステップ２４３）。このとき、第２中継局２０４は、第１中継局２０２から受信したデータ２に対するエラーの発生の有無を確認する。
【００４４】
（ｉ＋２）番目のフレーム２１４の間に、第２中継局２０４は、データ１に対するＡＣＫ／ＮＡＣＫメッセージを第１中継局２０２に送信する。
【００４５】
例えば、データ１にエラーが発生した場合、第２中継局２０４は、データ１に対するＮＡＣＫメッセージを第１中継局２０２に送信する。
【００４６】
一方、データ１にエラーが発生しない場合、第２中継局２０４は、データ１に対するＡＣＫメッセージを第１中継局２０２に送信する（ステップ２４５）。また、第２中継局２０４は、エラーの発生しないデータ１を端末２０６に送信する（ステップ２４７）。このとき、端末２０６は、第２中継局２０４から受信したデータ１に対するエラーの発生の有無を確認する。
【００４７】
（ｉ＋３）番目のフレーム２１６の間に、基地局２００は、データ４を第１中継局２０２に送信する（ステップ２４９）。このとき、第１中継局２０２は、基地局２００から受信したデータ４に対するエラーの発生の有無を確認する。
【００４８】
（ｉ＋３）番目のフレーム２１６の間に、第１中継局２０２は、データ３に対するＡＣＫ／ＮＡＣＫメッセージを基地局２００に送信する。このとき、第１中継局２０２は、（ｉ＋２）番目のフレーム２１４の間に第２中継局２０４から提供されたＡＣＫ／ＮＡＣＫメッセージを、データ３に対するＡＣＫ／ＮＡＣＫメッセージと共に基地局２００に送信する（ステップ２５３）。
【００４９】
例えば、データ３にエラーが発生する場合、第１中継局２０２は、データ３の再送信を要請するためのＮＡＣＫメッセージを基地局２００に送信する。このとき、第１中継局２０２は、（ｉ＋２）番目のフレーム２１４の間に第２中継局２０４から提供されたＡＣＫ／ＮＡＣＫメッセージを、データ３に対するＮＡＣＫメッセージと共に基地局２００に送信する。
【００５０】
一方、データ３にエラーが発生しない場合、第１中継局２０２は、データ３に対するＡＣＫメッセージを基地局２００に送信する（ステップ２５１）。このとき、第１中継局２０２は、（ｉ＋２）番目のフレーム２１４の間に第２中継局２０４から提供されたＡＣＫ／ＮＡＣＫメッセージを、データ３のＡＣＫと共に基地局２００に送信する。
【００５１】
また、第１中継局２０２は、エラーの発生しないデータ３を第２中継局２０４に送信する（ステップ２５５）。このとき、第２中継局２０４は、第１中継局２０２から受信したデータ３に対するエラーの発生の有無を確認する。
【００５２】
（ｉ＋３）番目のフレーム２１６の間に、第２中継局２０４は、データ２に対するＡＣＫ／ＮＡＣＫメッセージを第１中継局２０２に送信する。
【００５３】
例えば、データ２にエラーが発生した場合、第２中継局２０４は、データ２に対するＮＡＣＫメッセージを第１中継局２０２に送信する。
【００５４】
一方、データ２にエラーが発生しない場合、第２中継局２０４は、データ２に対するＡＣＫメッセージを第１中継局２０２に送信する（ステップ２５７）。また、第２中継局２０４は、エラーの発生しないデータ２を端末２０６に送信する（ステップ２５９）。このとき、端末２０６は、第２中継局２０４から受信したデータ２に対するエラーの発生の有無を確認する。
【００５５】
（ｉ＋３）番目のフレーム２１６の間に、端末２０６は、データ１に対するＡＣＫ／ＮＡＣＫメッセージを第２中継局２０４に送信する。
【００５６】
例えば、データ１にエラーが発生した場合、端末２０６は、データ１に対するＮＡＣＫメッセージを第２中継局２０４に送信する。
【００５７】
一方、データ１にエラーが発生しない場合、端末２０６は、データ１に対するＡＣＫメッセージを第２中継局２０４に送信する（ステップ２６１）。
【００５８】
（ｉ＋４）番目のフレーム２１８の間に、基地局２００は、データ５を第１中継局２０２に送信する（ステップ２６３）。このとき、第１中継局２０２は、基地局２００から受信したデータ５に対したエラーの発生の有無を確認する。
【００５９】
（ｉ＋４）番目のフレーム２１８の間に、第１中継局２０２は、データ４に対するＡＣＫ／ＮＡＣＫメッセージを基地局２００に送信する。このとき、第１中継局２０２は、（ｉ＋３）番目のフレーム２１４の間に第２中継局２０４から提供されたＡＣＫ／ＮＡＣＫメッセージを、データ４に対するＡＣＫ／ＮＡＣＫメッセージと共に基地局２００に送信する（ステップ２６７）。
【００６０】
例えば、データ４にエラーが発生する場合、第１中継局２０２は、データ４に対するＮＡＣＫメッセージを基地局２００に送信する。このとき、第１中継局２０２は、（ｉ＋３）番目のフレーム２１４の間に第２中継局２０４から提供されたＡＣＫ／ＮＡＣＫメッセージを、データ４に対するＮＡＣＫメッセージと共に基地局２００に送信する。
【００６１】
一方、データ４にエラーが発生しない場合、第１中継局２０２は、データ４に対するＡＣＫメッセージを基地局２００に送信する（ステップ２６５）。第１中継局２０２は、（ｉ＋３）番目のフレーム２１４の間に第２中継局２０４から提供されたＡＣＫ／ＮＡＣＫメッセージを、データ４に対するＡＣＫメッセージと共に基地局２００に送信する。
【００６２】
また、第１中継局２０２は、エラーの発生しないデータ４を第２中継局２０４に送信する（ステップ２６９）。このとき、第２中継局２０４は、第１中継局２０２から受信したデータ４に対するエラーの発生の有無を確認する。
【００６３】
（ｉ＋４）番目のフレーム２１８の間に、第２中継局２０４は、データ３に対するＡＣＫ／ＮＡＣＫメッセージを第１中継局２０２に送信する。このとき、第２中継局２０４は、（ｉ＋３）番目のフレーム２１６の間に端末２０６から提供されたＡＣＫ／ＮＡＣＫを、データ３に対するＡＣＫ／ＮＡＣＫメッセージと共に第１中継局２０２に送信する（ステップ２７３）。
【００６４】
例えば、データ３にエラーが発生した場合、第２中継局２０４は、データ３に対するＮＡＣＫメッセージを第１中継局２０２に送信する。このとき、第２中継局２０４は、（ｉ＋３）番目のフレーム２１６の間に、端末２０６から提供されたＡＣＫ／ＮＡＣＫをデータ３に対するＮＡＣＫメッセージと共に第１中継局２０２に送信する。
【００６５】
一方、データ３にエラーが発生しない場合、第２中継局２０４は、データ３に対するＡＣＫメッセージを第１中継局２０２に送信する（ステップ２７１）。このとき、第２中継局２０４は、（ｉ＋３）番目のフレーム２１６の間に端末２０６から提供されたＡＣＫ／ＮＡＣＫを、データ３に対するＡＣＫメッセージと共に第１中継局２０２に送信する（ステップ２７３）。
【００６６】
また、第２中継局２０４は、エラーの発生しないデータ３を端末２０６に送信する（ステップ２７５）。このとき、端末２０６は、第２中継局２０４から受信したデータ３に対するエラーの発生の有無を確認する。
【００６７】
（ｉ＋４）番目のフレーム２１８の間に、端末２０６は、データ２に対するＡＣＫ／ＮＡＣＫメッセージを第２中継局２０４に送信する。例えば、データ２にエラーが発生した場合、端末２０６は、データ２に対するＮＡＣＫメッセージを第２中継局２０４に送信する。
【００６８】
一方、データ２にエラーが発生しない場合、端末２０６は、データ２に対するＡＣＫメッセージを第２中継局２０４に送信する（ステップ２７７）。
【００６９】
（ｉ＋５）番目のフレーム２２０の間に、基地局２００は、データ６を第１中継局２０２に送信する（ステップ２７９）。このとき、第１中継局２０２は、基地局２００から受信したデータ６に対するエラーの発生の有無を確認する。
【００７０】
（ｉ＋５）番目のフレーム２２０の間に、第１中継局２０２は、データ５に対したＡＣＫ／ＮＡＣＫメッセージを基地局２００に送信する。このとき、第１中継局２０２は、（ｉ＋４）番目のフレーム２１８の間に第２中継局２０４から提供されたデータ３に対するＡＣＫ／ＮＡＣＫメッセージと端末２０６のデータ１に対するＡＣＫ／ＮＡＣＫメッセージとを、データ５に対するＡＣＫ／ＮＡＣＫメッセージと共に基地局２００に送信する（ステップ２８３、２８５）。
【００７１】
例えば、データ５にエラーが発生する場合、第１中継局２０２は、データ５に対するＮＡＣＫメッセージを基地局２００に送信する。このとき、第１中継局２０２は、（ｉ＋４）番目のフレーム２１８の間に第２中継局２０４から提供されたデータ３に対するＡＣＫ／ＮＡＣＫメッセージと端末２０６のデータ１に対するＡＣＫ／ＮＡＣＫメッセージとを、データ５に対したＮＡＣＫメッセージと共に基地局２００に送信する。
【００７２】
一方、データ５にエラーが発生しない場合、第１中継局２０２は、データ５に対するＡＣＫメッセージを基地局２００に送信する（ステップ２８１）。このとき、第１中継局２０２は、（ｉ＋４）番目のフレーム２１８の間に第２中継局２０４から提供されたデータ３に対するＡＣＫ／ＮＡＣＫメッセージと端末２０６のデータ１に対するＡＣＫ／ＮＡＣＫメッセージとを、データ５に対するＡＣＫメッセージと共に基地局２００に送信する。
【００７３】
また、第１中継局２０２は、エラーの発生しないデータ５を第２中継局２０４に送信する（ステップ２８７）。このとき、第２中継局２０４は、第１中継局２０２から受信したデータ５に対したエラーの発生の有無を確認する。
【００７４】
（ｉ＋５）番目のフレーム２２０の間に、第２中継局２０４は、データ４に対するＡＣＫ／ＮＡＣＫメッセージを第１中継局２０２に送信する。このとき、第２中継局２０４は、（ｉ＋４）番目のフレーム２１８の間に端末２０６から提供されたＡＣＫ／ＮＡＣＫメッセージを、データ４に対するＡＣＫ／ＮＡＣＫメッセージと共に第１中継局２０２に送信する（ステップ２９１）。
【００７５】
例えば、データ４にエラーが発生した場合、第２中継局２０４は、データ４に対するＮＡＣＫメッセージを第１中継局２０２に送信する。このとき、第２中継局２０４は、（ｉ＋４）番目のフレーム２１８の間に端末２０６から提供されたＡＣＫ／ＮＡＣＫメッセージを、データ４に対するＮＡＣＫメッセージと共に第１中継局２０２に送信する。
【００７６】
一方、データ４にエラーが発生しない場合、第２中継局２０４は、データ４に対するＡＣＫメッセージを第１中継局２０２に送信する（ステップ２８９）。このとき、第２中継局２０４は、（ｉ＋４）番目のフレーム２１８の間に端末２０６から提供されたＡＣＫ／ＮＡＣＫメッセージを、データ４に対するＡＣＫメッセージと共に第１中継局２０２に送信する。
【００７７】
また、第２中継局２０４は、エラーの発生しないデータ４を端末２０６に送信する（ステップ２９３）。このとき、端末２０６は、第２中継局２０４から受信したデータ４に対するエラーの発生の有無を確認する。
【００７８】
（ｉ＋５）番目のフレーム２２０の間に、端末２０６は、データ３に対するＡＣＫ／ＮＡＣＫメッセージを第２中継局２０４に送信する。例えば、データ３にエラーが発生した場合、端末２０６は、データ３に対するＮＡＣＫメッセージを第２中継局２０４に送信する。
【００７９】
一方、データ３にエラーが発生しない場合、端末２０６は、データ３に対するＡＣＫメッセージを第２中継局２０４に送信する（ステップ２９５）。
【００８０】
上述したように、無線通信システムにおける第１中継局２０２、第２中継局２０４及び端末２０６は、上位ノードから提供されたデータに対するＡＣＫ／ＮＡＣＫメッセージを上位ノードに送信する。このとき、第１中継局２０２、第２中継局２０４及び端末２０６は、上位ノードから割り当てられた資源を利用してＡＣＫ／ＮＡＣＫメッセージを送信する。例えば、上位ノードは、第１中継局２０２、第２中継局２０４及び端末２０６に、ＡＣＫ／ＮＡＣＫメッセージのための制御チャネルを割り当てる。
【００８１】
さらに、中継局２０２、２０４は、下位ノードから提供されたＡＣＫ／ＮＡＣＫメッセージが存在する場合、ＡＣＫ／ＮＡＣＫメッセージと上位ノードから提供されたデータに対するＡＣＫ／ＮＡＣＫメッセージとを共に上位ノードに送信する。例えば、第１中継局２０２は、（ｉ＋３）番目のフレーム２１６において基地局２００から提供されたデータに対するＡＣＫ／ＮＡＣＫメッセージと第２中継局２０４から提供されたＡＣＫ／ＮＡＣＫメッセージとを共に基地局２００に送信する。また、第２中継局２０４は、（ｉ＋４）番目のフレーム２１８において第１中継局２０２から提供されたデータに対するＡＣＫ／ＮＡＣＫメッセージと端末２０６から提供されたＡＣＫ／ＮＡＣＫメッセージとを共に第１中継局２０２に送信する。
【００８２】
すなわち、中継局は、基地局と端末との間で互いに異なる時間フレームの間に提供されたデータに対する多重ＡＣＫ／ＮＡＣＫメッセージを、上位ノード（例：基地局又は上位中継局）に送信する。
【００８３】
したがって、上位ノードは、下位ノードが多重ＡＣＫ／ＮＡＣＫメッセージを送信できるように、下記図３と図４に示すように、多重ＡＣＫ／ＮＡＣＫメッセージに対する制御チャネルを下位ノードに割り当てる。ここで、下記の図３は、基地局が中継局１に多重ＡＣＫ／ＮＡＣＫメッセージのための制御チャネルを割り当てることを例に挙げて説明する。
【００８４】
図３と図４は、本発明の実施の形態による多重ホップ中継方式を使用する無線通信システムにおけるダウンリンクデータに対するＡＣＫ／ＮＡＣＫのスケジューリング情報を送信するためのフレーム構造を示している。ここで、図３と図４は、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６システムのフレーム構造を例に挙げて説明する。
【００８５】
図３と図４に示すように、基地局は、中継局１が複数のＡＣＫ／ＮＡＣＫメッセージを送信できるように、中継局１に多重チャネルを割り当てる。
【００８６】
図３に示すように、基地局は、ダウンリンク副フレーム３００のアップリンクマップ（ＵＬ−ＭＡＰ）を利用して、中継局１にＡＣＫ／ＮＡＣＫメッセージのための多重チャネルを割り当てる。したがって、中継局１は、多重チャネルを利用して基地局から提供されたデータのＡＣＫ／ＮＡＣＫメッセージと中継局２又は端末から提供されたＡＣＫ／ＮＡＣＫメッセージとを、一回に基地局に送信できる。
【００８７】
基地局は、中継局１にＡＣＫ／ＮＡＣＫメッセージのための多重チャネルを割り当てるために、情報要素（Ｉｎｆｒｏｍａｔｉｏｎ  Ｅｌｅｍｅｎｔ）を構成してアップリンクマップに含める。このとき、情報要素は、中継局１、中継局２及び端末の固有識別子（例：ＣＩＤ（Ｃｏｎｎｅｃｔｉｏｎ  ＩＤ）と適応変調（ＭＣＳ：Ｍｏｄｕｌａｔｉｏｎ  ａｎｄ  Ｃｏｄｉｎｇ  Ｓｃｈｅｍｅ）レベル情報を含む。
【００８８】
また、基地局は、各々の固有識別子別にＡＣＫ／ＮＡＣＫメッセージのための領域の開始点と終点とを含むように、情報要素を構成する。例えば、基地局は、中継局１にＡＣＫ／ＮＡＣＫメッセージのための多重チャネルを割り当てるために、ＩＥＥＥ８０２．１６標準にて定義されたＨＡＲＱ（Ｈｙｂｒｉｄ  ＡＲＱ）ＡＣＫ領域（Ｒｅｇｉｏｎ）割り当て（Ａｌｌｏｃａｔｉｏｎ）情報要素（Ｉｎｆｏｒｍａｔｉｏｎ  Ｅｌｅｍｅｎｔ）を、情報要素として使用することができる。このとき、情報要素は、各々の固有識別子に対するＡＣＫ／ＮＡＣＫメッセージのための領域の開始点と終点とを、周波数領域では副チャネル単位で表し、時間領域ではＯＦＤＭシンボル単位で表す。
【００８９】
中継局１は、基地局がアップリンクマップにおいて各々の固有識別子別に割り当てたアップリンクフレームの領域を利用して、多重ＡＣＫ／ＮＡＣＫメッセージを基地局に送信する。例えば、中継局１は、中継局１の固有識別子に割り当てられたＡＣＫ領域スケジューリング情報３０１に応じて、基地局から提供されたデータのＡＣＫ／ＮＡＣＫメッセージを、アップリンク副フレーム３１０の第１領域３１１を介して基地局に送信する。また、中継局１は、中継局２の固有識別子に割り当てられたＡＣＫ領域スケジューリング情報３０３に応じて、第２領域３１３を介して中継局２から提供されたＡＣＫ／ＮＡＣＫメッセージを基地局に送信する。また、中継局１は、端末の固有識別子に割り当てられた端末ＡＣＫ領域スケジューリング情報３０５に応じて、第３領域３１５を介して中継局２から提供された端末のＡＣＫ／ＮＡＣＫメッセージを基地局に送信する。
【００９０】
上述したように、基地局は、アップリンクマップを介して中継局１、中継局２及び端末の固有識別子に応じたＡＣＫ／ＮＡＣＫメッセージを送信する制御チャネルを中継局１に割り当てる。このとき、基地局は、中継局１がアップリンクマップに含まれた中継局２と端末の固有識別子の機能を確実に把握できるように、別途のメッセージ又は情報要素を定義して、中継局２と端末の固有識別子の用途を中継局１に知らせる。
【００９１】
図４に示すように、基地局は、ダウンリンク副フレーム３２０のアップリンクマップ（ＵＬ−ＭＡＰ）を利用して、中継局１にＡＣＫ／ＮＡＣＫメッセージのための多重チャネルを割り当てる。したがって、中継局１は、多重チャネルを利用して、基地局から提供されたデータのＡＣＫ／ＮＡＣＫメッセージと中継局２又は端末から提供されたＡＣＫ／ＮＡＣＫメッセージとを、一回に基地局に送信できる。
【００９２】
このとき、基地局と中継局１との間には、各フレームに応じてどのノードのＡＣＫ／ＮＡＣＫメッセージを送信するかが予め約束される。例えば、図２の（ｉ＋５）番目のフレームで、基地局は、中継局１がデータ５に対するＡＣＫ／ＮＡＣＫメッセージ、データ３に対する中継局２のＡＣＫ／ＮＡＣＫメッセージ、及びデータ１に対する端末のＡＣＫ／ＮＡＣＫメッセージを送信することを知っている。このとき、基地局は、放送情報又は別途の制御チャネルを利用して、フレームごとに中継局１がどのノードのＡＣＫ／ＮＡＣＫメッセージを送信するかを中継局１と約束する。
【００９３】
また、基地局は、中継局１が多重ＡＣＫ／ＮＡＣＫメッセージを送信できるように、中継局のＡＣＫ／ＮＡＣＫメッセージのための情報要素を含むアップリンクマップを構成する。このとき、中継局のＡＣＫ／ＮＡＣＫメッセージのための情報要素は、多重ＡＣＫ／ＮＡＣＫメッセージの開始点情報と終点情報とを含む。例えば、ＩＥＥＥ８０２．１６システムのＨＡＲＱ  ＡＣＫ領域の割り当て情報要素をＡＣＫ／ＮＡＣＫメッセージのための情報要素として使用することができる。このとき、アップリンクフレームにおけるＡＣＫ／ＮＡＣＫメッセージの開始点と終点とは、周波数領域では副チャネル単位で表わされ、時間領域ではＯＦＤＭシンボル単位で表わされる。
【００９４】
したがって、中継局１は、基地局からアップリンクマップを介して割り当てられたアップリンクフレームの領域を介して、多重ＡＣＫ／ＮＡＣＫメッセージを基地局に送信する。このとき、中継局１は、基地局と予め約束されたノードに対するＡＣＫ／ＮＡＣＫメッセージを基地局に送信する。例えば、中継局１は、基地局がアップリンクマップのＡＣＫ領域スケジューリング情報３２１を介して割り当てた領域に、基地局から提供されたデータのＡＣＫ／ＮＡＣＫメッセージ３３１、中継局２から提供されたＡＣＫ／ＮＡＣＫメッセージ３３３、及び中継局２から提供された端末のＡＣＫ／ＮＡＣＫメッセージ３３５を含めて基地局に送信する。
【００９５】
他の実施の形態として、中継局１は、データの送信順序に応じて多重ＡＣＫ／ＮＡＣＫメッセージを送信する。すなわち、図２の（ｉ＋５）番目のフレーム２２０の場合、第１中継局２０２は、第１領域３３１を介して送信順序の速いデータ１に対する端末２０６のＡＣＫ／ＮＡＣＫメッセージを送信する。次に、第１中継局２０２は、第２領域３３３を介してデータ３に対する第２中継局２０４のＡＣＫ／ＮＡＣＫメッセージを送信する。最後に第１中継局２０２は、第３領域３３５を介してデータ５に対するＡＣＫ／ＮＡＣＫメッセージを送信する。また、第１中継局２０２は、送信順序の遅いデータに対するＡＣＫ／ＮＡＣＫメッセージから順次送信することもできる。
【００９６】
また、基地局と中継局１とは、多重ＡＣＫ／ＮＡＣＫメッセージに含まれるＡＣＫ／ＮＡＣＫメッセージの送信順序を予め約束する。したがって、基地局は、フレームごとに中継局１が送信する多重ＡＣＫ／ＮＡＣＫメッセージがどのデータに対するどのノードのＡＣＫ／ＮＡＣＫメッセージであるかを知っている。
【００９７】
したがって、基地局は、中継局１が送信する多重ＡＣＫ／ＮＡＣＫメッセージを区分するためのオフセット値を別途に割り当てなくてもよい。
【００９８】
上述したように、中継局１は、基地局から割り当てられた多重制御チャネルを介して、中継局１、中継局２及び端末のＡＣＫ／ＮＡＣＫメッセージを基地局に送信する。このとき、基地局と中継局１との間では、多重制御チャネルを介して何番目のデータに対するＡＣＫ／ＮＡＣＫメッセージが送信されているかが約束されていなければならない。
【００９９】
したがって、基地局は、放送情報又は別途の制御チャネルを利用して、多重制御チャネルを介して中継局１に送信するデータのＡＣＫ／ＮＡＣＫメッセージを予め約束する。この場合、中継局１は、基地局と約束した多重制御チャネルを介して送信するデータのＡＣＫ／ＮＡＣＫメッセージ情報に応じて、多重制御チャネルを介した送信時点ごとに自身及び下位ノードのＡＣＫ／ＮＡＣＫメッセージが送信時点を基準に何フレーム前に送信受信したデータに対するＡＣＫ／ＮＡＣＫメッセージであるか否かを認知することができる。
【０１００】
万一、基地局で放送メッセージ又は別途の制御チャネルを利用して中継局１と多重制御チャネルを介して送信するデータを予め約束しない場合、基地局は、ＡＣＫ／ＮＡＣＫメッセージのための情報要素を利用して多重制御チャネルを介して送信するデータのＡＣＫ／ＮＡＣＫメッセージ情報を中継局１に送信することもできる。
【０１０１】
上述した実施の形態で無線通信システムは、ダウンリンク副フレーム３００、３２０を介して同じフレームのアップリンク副フレームでＡＣＫ／ＮＡＣＫメッセージ領域に対するスケジューリング情報を含むように、アップリンクマップを構成する。他の実施の形態で無線通信システムは、ダウンリンク副フレーム３００、３２０を介して何フレームの次に位置するアップリンク副フレームでＡＣＫ／ＮＡＣＫメッセージ領域に対するスケジューリング情報を含むように、アップリンクマップを構成する。
【０１０２】
次に、無線通信システムは、下記の図５に示すように、アップリンクデータに対するＡＣＫ／ＮＡＣＫメッセージを送信する。
【０１０３】
図５は、本発明の実施の形態による多重ホップ中継方式を使用する無線通信システムにおけるアップリンクデータの送信手順を示している。ここで、基地局４００は、端末４０６からデータ１とデータ２とを受信すると仮定して説明する。
【０１０４】
図５に示すように、端末４０６から基地局４００へデータ１とデータ２とを送信する場合、ｉ番目のフレーム４１０の間に基地局４００は、データ１に対するスケジューリング情報を第１中継局４０２に送信する（ステップ４３１）。
【０１０５】
（ｉ＋１）番目のフレーム４１２の間に、基地局４００は、データ２に対するスケジューリング情報を第１中継局４０２に送信する（ステップ４３３）。
【０１０６】
（ｉ＋１）番目のフレーム４１２の間に、第１中継局４０２は、データ１に対するスケジューリング情報を第２中継局４０４に送信する（ステップ４３５）。
【０１０７】
（ｉ＋２）番目のフレーム４１４の間に、第１中継局４０２は、データ２に対するスケジューリング情報を第２中継局４０４に送信する（ステップ４３７）。
【０１０８】
（ｉ＋２）番目のフレーム４１４の間に、第２中継局４０４は、データ１に対するスケジューリング情報を端末４０６に送信する（ステップ４３９）。
【０１０９】
（ｉ＋３）番目のフレーム４１６の間に、第２中継局４０４は、データ２に対するスケジューリング情報を端末４０６に送信する（ステップ４４１）。
【０１１０】
（ｉ＋３）番目のフレーム４１６の間に、端末４０６は、第２中継局４０４から提供されたデータ１のスケジューリング情報に応じて、第２中継局４０４にデータ１を送信する（ステップ４４３）。このとき、第２中継局４０４は、端末４０６から受信したデータ１に対するエラーの発生の有無を確認する。
【０１１１】
（ｉ＋４）番目のフレーム４１８の間に、第２中継局４０４は、端末４０６から提供されたデータ１のエラーの発生の有無に応じて、ＡＣＫ／ＮＡＣＫメッセージを送信する。例えば、データ１にエラーが発生する場合、第２中継局４０４は、第１中継局４０２と端末４０６とにＮＡＣＫメッセージを送信する。
【０１１２】
一方、データ１にエラーが発生しない場合、第２中継局４０４は、データ１とデータ１に対するＡＣＫメッセージを第１中継局４０２に送信する（ステップ４４５）。このとき、第１中継局４０２は、第２中継局４０４から受信したデータ１に対するエラーの発生の有無を確認する。
【０１１３】
また、第２中継局４０４は、端末４０６にデータ１に対するＡＣＫメッセージを送信する（ステップ４４７）。
【０１１４】
（ｉ＋４）番目のフレーム４１８の間に、端末４０６は、第２中継局４０４から提供されたデータ２のスケジューリング情報に応じて、データ２を第２中継局４０４に送信する（ステップ４４９）。このとき、第２中継局４０４は、端末４０６から受信したデータ２に対するエラーの発生の有無を確認する。
【０１１５】
（ｉ＋５）番目のフレーム４２０の間に、第１中継局４０２は、第２中継局４０４から提供されたデータ１のエラーの発生の有無に応じて、ＡＣＫ／ＮＡＣＫメッセージを送信する。例えば、データ１にエラーが発生する場合、第１中継局４０２は、基地局４００と第２中継局４０２とにデータ１に対するＮＡＣＫメッセージを送信する。
【０１１６】
このとき、第１中継局４０４は、（ｉ＋４）番目のフレーム４１８の間に第２中継局４０４から提供されたデータ１に対するＡＣＫ／ＮＡＣＫメッセージを基地局４００に共に送信する（ステップ４５３）。
【０１１７】
一方、データ１にエラーが発生しない場合、第１中継局４０２は、データ１とデータ１に対するＡＣＫメッセージを基地局４００に送信する（ステップ４５１）。
【０１１８】
このとき、第１中継局４０２は、（ｉ＋４）番目のフレーム４１８の間に第２中継局４０４から提供されたデータ１に対するＡＣＫ／ＮＡＣＫメッセージを、基地局４００に共に送信する（ステップ４５３）。
【０１１９】
その後、第１中継局４０２は、データ１に対するＡＣＫメッセージを第２中継局４０４に送信する（ステップ４５５）。
【０１２０】
（ｉ＋５）番目のフレーム４２０の間に第２中継局４０４は、端末４０６から提供されたデータ２のエラーの発生の有無に応じてＡＣＫ／ＮＡＣＫメッセージを送信する。例えば、データ２にエラーが発生する場合、第２中継局４０４は、第１中継局４０２と端末４０６とにデータ２に対するＮＡＣＫメッセージを送信する。
【０１２１】
一方、データ２にエラーが発生しない場合、第２中継局４０４は、データ２とデータ２に対するＡＣＫメッセージとを第１中継局４０２に送信する（ステップ４５７）。このとき、第１中継局４０２は、第２中継局４０４から受信したデータ２に対するエラーの発生の有無を確認する。
【０１２２】
その後、第２中継局４０４は、端末４０６にデータ２に対するＡＣＫメッセージを送信する（ステップ４５９）。
【０１２３】
（ｉ＋６）番目のフレーム４２２の間に、第１中継局４０２は、第２中継局４０４から提供されたデータ２のエラーの発生の有無に応じて、ＡＣＫ／ＮＡＣＫメッセージを送信する。例えば、データ２にエラーが発生する場合、第１中継局４０２は、基地局４００と第２中継局４０４にデータ２に対するＮＡＣＫメッセージを送信する。
【０１２４】
このとき、第１中継局４０２は、（ｉ＋５）番目のフレーム４２０の間に第２中継局４０４から提供されたデータ２に対するＡＣＫ／ＮＡＣＫメッセージを、基地局４００に共に送信する（ステップ４６３）。
【０１２５】
一方、データ２にエラーが発生しない場合、第１中継局４０２は、データ２とデータ２に対するＡＣＫメッセージとを基地局４００に送信する（ステップ４６１）。
【０１２６】
このとき、第１中継局４０２は、（ｉ＋５）番目のフレーム４２０の間に第２中継局４０４から提供されたデータ２に対するＡＣＫ／ＮＡＣＫメッセージを、基地局４００に共に送信する（ステップ４６３）。
【０１２７】
その後、第１中継局４０２は、データ２に対するＡＣＫメッセージを第２中継局４０４に送信する（ステップ４６５）。
【０１２８】
上述したように、無線通信システムにおいて第１中継局４０２、第２中継局４０４及び端末４０６は、アップリンクデータに対するＡＣＫ／ＮＡＣＫメッセージを上位ノードと下位ノードとに送信する。このとき、第１中継局４０２、第２中継局４０４及び端末４０６は、上位ノードから提供された制御チャネルを介してＡＣＫ／ＮＡＣＫメッセージを送信する。
【０１２９】
さらに、中継局４０２、４０４は、下位ノードから提供されたＡＣＫ／ＮＡＣＫメッセージが存在する場合、ＡＣＫ／ＮＡＣＫメッセージと下位ノードから提供されたデータに対するＡＣＫ／ＮＡＣＫメッセージとを共に上位ノードに送信する。例えば、第１中継局４０２は、（ｉ＋５）番目のフレーム４２０において第２中継局４０４から提供されたデータのＡＣＫ／ＮＡＣＫメッセージと、第２中継局４０４から提供された第２中継局４０４のＡＣＫ／ＮＡＣＫメッセージと、を共に基地局４００に送信する。
【０１３０】
すなわち、中継局は、基地局と端末との間で互いに異なる時間フレームの間に提供されたアップリンクデータに対する多重ＡＣＫ／ＮＡＣＫメッセージを、上位ノード（例：基地局又は上位中継局）に送信する。
【０１３１】
したがって、上位ノードは、下位ノードが多重ＡＣＫ／ＮＡＣＫメッセージを送信できるように、下記図６と図７に示すように、多重ＡＣＫ／ＮＡＣＫメッセージに対する制御チャネルを下位ノードに割り当てる。ここで、下記の図６と図７は、基地局が、中継局１に、多重ＡＣＫ／ＮＡＣＫメッセージのための制御チャネルを割り当てることを例に挙げて説明する。
【０１３２】
図６及び図７は、本発明の実施の形態による多重ホップ中継方式を使用する無線通信システムにおけるアップリンクデータに対するＡＣＫ／ＮＡＣＫのスケジューリング情報を送信するためのフレーム構造を示している。ここで、図６と図７は、ＩＥＥＥ８０２．１６システムのフレーム構造を例に挙げて説明する。
【０１３３】
図６と７を参照すると、基地局は、中継局１がアップリンクデータに対する複数のＡＣＫ／ＮＡＣＫメッセージを送信できるように、中継局１に多重チャネルを割り当てる。
【０１３４】
まず、図６に示すように、基地局は、ダウンリンク副フレーム５００のアップリンクマップ（ＵＬ−ＭＡＰ）を利用して、中継局１にＡＣＫ／ＮＡＣＫメッセージのための多重チャネルを割り当てる。したがって、中継局１は、基地局から提供された多重チャネルを利用して、アップリンクデータに対するＡＣＫ／ＮＡＣＫメッセージと中継局２から提供されたＡＣＫ／ＮＡＣＫメッセージとを基地局に共に送信できる。
【０１３５】
基地局は、中継局１にＡＣＫ／ＮＡＣＫメッセージのための多重チャネルを割り当てるために情報要素（Ｉｎｆｒｏｍａｔｉｏｎ  Ｅｌｅｍｅｎｔ）を構成してアップリンクマップに含める。このとき、情報要素は、中継局１、中継局２及び端末の固有識別子（例：ＣＩＤ（Ｃｏｎｎｅｃｔｉｏｎ  ＩＤ）と適応変調（ＭＣＳ：Ｍｏｄｕｌａｔｉｏｎ  ａｎｄ  Ｃｏｄｉｎｇ  Ｓｃｈｅｍｅ）レベル情報を含む。
【０１３６】
また、基地局は、各々の固有識別子別にＡＣＫ／ＮＡＣＫメッセージのための開始点と終点とを含むように、情報要素を構成する。例えば、基地局は、中継局１にＡＣＫ／ＮＡＣＫメッセージのための多重チャネルを割り当てるために、ＩＥＥＥ８０２．１６システムのＨＡＲＱ  ＡＣＫ領域の割り当て情報要素を、情報要素として使用することができる。このとき、ＨＡＲＱ  ＡＣＫ領域の割り当て情報要素は、アップリンクデータに対する資源割り当てのために新しく定義されうる。
【０１３７】
このとき、情報要素は、各々の固有識別子に対するＡＣＫ／ＮＡＣＫメッセージのための領域の開始点と終点とを、周波数領域では副チャネル単位で表し、時間領域ではＯＦＤＭシンボル単位で表す。
【０１３８】
中継局１は、基地局がアップリンクマップを介して各固有識別子別に割り当てたアップリンクフレームの領域を利用して、多重ＡＣＫ／ＮＡＣＫメッセージを基地局に送信する。例えば、中継局１は、中継局１の固有識別子を介して割り当てられたＡＣＫ領域スケジューリング情報５０１に応じて、中継局２から提供されたデータのＡＣＫ／ＮＡＣＫメッセージを、アップリンク副フレーム５１０の第１領域５１１を介して基地局に送信する。また、中継局１は、中継局２の固有識別子を介して割り当てられたＡＣＫ領域スケジューリング情報５０５に応じて、第２領域５１５を介して中継局２から提供されたＡＣＫ／ＮＡＣＫメッセージを基地局に送信する。
【０１３９】
上述したように、基地局は、アップリンクマップを介して中継局１、中継局２の固有識別子に応じるＡＣＫ／ＮＡＣＫメッセージを送信する制御チャネルを中継局１に割り当てる。このとき、基地局は、中継局１がアップリンクマップに含まれた中継局２と端末の固有識別子の機能を確実に把握できるように、別途のメッセージを定義して、中継局２と端末の接続識別子の用途を中継局１に知らせる。
【０１４０】
図７に示すように、基地局は、ダウンリンク副フレーム５２０のアップリンクマップ（ＵＬ−ＭＡＰ）を利用して、中継局１にＡＣＫ／ＮＡＣＫメッセージのための多重チャネルを割り当てる。したがって、中継局１は、多重チャネルを利用してアップリンクデータに対するＡＣＫ／ＮＡＣＫメッセージと中継局２から提供されたＡＣＫ／ＮＡＣＫメッセージとを一回に基地局に送信できる。
【０１４１】
このとき、基地局と中継局１との間には、各フレームに応じてどのノードのＡＣＫ／ＮＡＣＫメッセージを送信するかが予め約束される。例えば、図５の（ｉ＋５）番目のフレーム４２０で、基地局は、中継局１がデータ１に対するＡＣＫ／ＮＡＣＫメッセージとデータ１に対する中継局２のＡＣＫ／ＮＡＣＫメッセージとを送信することを知っている。このとき、基地局は、放送情報又は別途の制御チャネルを利用して、フレームごとに中継局１がどのノードのＡＣＫ／ＮＡＣＫメッセージを送信するかについて中継局１と約束する。
【０１４２】
基地局は、中継局１が複数のＡＣＫ／ＮＡＣＫメッセージを送信できるように、多重ＡＣＫ／ＮＡＣＫメッセージのための開始点と終点とを含む情報要素を構成して、アップリンクマップに含める。例えば、基地局は、ＩＥＥＥ８０２．１６システムのＨＡＲＱ  ＡＣＫ領域の割り当て情報要素を利用して、ＡＣＫ／ＮＡＣＫメッセージのための情報要素を構成する。このとき、アップリンクフレームでＡＣＫ／ＮＡＣＫメッセージの開始点と終点とは、周波数領域では副チャネル単位で表され、時間領域ではＯＦＤＭシンボル単位で表される。
【０１４３】
中継局１は、アップリンクマップに含まれたＡＣＫ領域スケジューリング情報５２１を利用して基地局から割り当てられたアップリンクフレーム５３０の領域を利用して、複数のＡＣＫ／ＮＡＣＫメッセージ５３１、５３３を基地局に送信する。すなわち、中継局１は、基地局から割り当てられたアップリンクフレーム領域を介して、基地局と予め約束されたノードに対するＡＣＫ／ＮＡＣＫメッセージを基地局に送信する。
【０１４４】
上述したように、中継局１は、基地局から割り当てられた多重制御チャネルを介して、中継局１と中継局２のＡＣＫ／ＮＡＣＫメッセージを基地局に送信する。このとき、基地局と中継局１との間には、多重制御チャネルを介して何番目のデータに対するＡＣＫ／ＮＡＣＫメッセージが送信されるかが約束されていなければならない。
【０１４５】
したがって、基地局は、放送情報又は別途の制御チャネルを利用して、中継局１に多重制御チャネルを介して送信するデータのＡＣＫ／ＮＡＣＫメッセージを約束する。この場合、中継局１は、基地局と約束した多重制御チャネルを介して送信するデータのＡＣＫ／ＮＡＣＫメッセージ情報に応じて、多重制御チャネルを介した送信時点ごとに自分及び下位ノードのＡＣＫ／ＮＡＣＫメッセージが送信時点を基準に何フレーム前に送信受信したデータに対するＡＣＫ／ＮＡＣＫメッセージであるかを認知することができる。
【０１４６】
万一、基地局で放送メッセージ又は別途の制御チャネルを利用して、中継局１と多重制御チャネルを介して送信するデータを予め約束しない場合、基地局は、ＡＣＫ／ＮＡＣＫメッセージのための情報要素を利用して、多重制御チャネルを介して送信するデータのＡＣＫ／ＮＡＣＫメッセージ情報を中継局１に送信することができる。
【０１４７】
以下では、無線通信システムにおける再送信のためのＡＣＫ／ＮＡＣＫメッセージを送信するための中継局の動作方法について説明する。
【０１４８】
図８は、本発明の実施の形態による多重ホップ中継方式を使用する無線通信システムにおけるＡＲＱを行うための中継局の動作手順を示している。
【０１４９】
図８に示すように、まず中継局は、ステップ６０１にてデータが受信されているか否かを確認する。例えば、ダウンリンクの場合、中継局は、上位ノードからデータが受信されているか否かを確認する。一方、アップリンクの場合、中継局は、下位ノードからデータが受信されているか否かを確認する。
【０１５０】
データが受信される場合、中継局は、ステップ６０３に進んで受信データにエラーが発生するか否かを確認する。
【０１５１】
万一、受信データにエラーが発生する場合、中継局は、ステップ６０７に進んで下位ノードからエラー発生情報が受信されたか否かを確認する。ここで、エラー発生情報は、ＡＣＫメッセージ又はＮＡＣＫメッセージを表す。例えば、ダウンリンクの場合、中継局は、図２に示すように、前のフレームの間に下位ノードからＡＣＫ／ＮＡＣＫメッセージが受信されたか否かを確認する。一方、アップリンクの場合、中継局は、図５に示すように、前のフレームの間に下位ノードからＡＣＫ／ＮＡＣＫメッセージが受信されたか否かを確認する。
【０１５２】
一方、受信データにエラーが発生しない場合、中継局は、ステップ６０５に進んで、受信したデータを上位ノード又は下位ノードに送信する。例えば、ダウンリンクの場合、中継局は、上位ノードから提供されたデータを下位ノードに送信する。一方、アップリンクの場合、中継局は、下位ノードから提供されたデータを上位ノードへ送信する。
【０１５３】
受信したデータを送信した後、中継局は、ステップ６０７に進んで、下位ノードからエラー発生情報が受信されたか否かを確認する。例えば、ダウンリンクの場合、中継局は、図２に示すように、前のフレームの間に下位ノードからＡＣＫ／ＮＡＣＫメッセージが受信されたか否かを確認する。一方、アップリンクの場合、中継局は、図５に示すように、前のフレームの間に下位ノードからＡＣＫ／ＮＡＣＫメッセージが受信されたか否かを確認する。
【０１５４】
万一、下位ノードからエラー発生情報が受信された場合、中継局は、ステップ６０９に進んで受信データのエラー発生情報と下位ノードから提供されたエラー発生情報とを上位ノードへ送信する。このとき、中継局は、放送情報又は別途の制御チャネルを介して該当フレームにエラー発生情報を送信するノードとデータを上位ノードと約束する。したがって、中継局は、上位ノードから提供された多重制御チャネルを介して、上位ノードと約束されたデータに対するエラー発生情報を上位ノードに送信する。
【０１５５】
一方、下位ノードからエラー発生情報が受信されない場合、中継局は、ステップ６１１に進んで上位ノードから提供された制御チャネルを介して、受信データのエラー発生情報を上位ノードに送信する。
【０１５６】
以後、中継局は、本アルゴリズムを終了する。
【０１５７】
以下、無線通信システムにおける中継局が多重ＡＣＫ／ＮＡＣＫメッセージを送信するための多重制御チャネルを割り当てる上位ノードの動作方法について説明する。ここで、下記の図９は、上位ノードが放送情報又は別途の制御チャネルを介して次のホップ中継局と送信時点に応じてエラー発生情報を送信するデータを約束する。以後、上位ノードは、中継局が該当データにエラー発生情報を送信するための多重制御チャネルを割り当てるための方法について説明する。
【０１５８】
図９は、本発明の実施の形態による多重ホップ中継方式を使用する無線通信システムにおけるＡＲＱを行うための基地局の動作手順を示している。ここで、図９は、上位ノードのうち、基地局を例に挙げて説明するが、上位中継局も同様に動作する。
【０１５９】
図９に示すように、まず基地局は、ステップ７０１にて図３又は図６に示すように、次のホップ中継局にＡＣＫ／ＮＡＣＫ制御メッセージのための制御チャネルをノード別に割り当てるか否かを確認する。
【０１６０】
万一、ノード別に制御チャネルを割り当てる場合、基地局は、ステップ７０３に進んで、次のホップ中継局を介して自身にＡＣＫ／ＮＡＣＫメッセージを送信するノードの固有識別子を確認する。ここで、固有識別子は、ＣＩＤを意味する。
【０１６１】
ノードの固有識別子を確認した後、基地局は、ステップ７０５に進んで、各々の固有識別子別にＡＣＫ／ＮＡＣＫメッセージのための制御チャネルを割り当てる。
【０１６２】
その後、基地局は、ステップ７０７に進んで各固有識別子別に割り当てた制御チャネル情報を含む多重制御チャネルを生成する。例えば、基地局は、各々の固有識別子別に割り当てられた制御チャネル情報を含む情報要素を生成する。
【０１６３】
多重制御チャネルを生成した後、基地局は、ステップ７０９に進んで、多重制御チャネルを次のホップ中継局に送信する。すなわち、基地局は、各々の固有識別子別に割り当てられた制御チャネル情報を含む情報要素を含むアップリンクマップを構成して、次のホップ中継局に送信する。例えば、基地局は、図３又は図６のように各々の固有識別子別に割り当てられた制御チャネル情報を次のホップ中継局に送信する。
【０１６４】
一方、ステップ７０１にてノード別制御チャネルを割り当てない場合、基地局は、ステップ７１１に進んで、各々のフレームごとに次のホップ中継局を介してＡＣＫ／ＮＡＣＫメッセージを提供されるためのノードを決定する。
【０１６５】
ノードを決定した後、基地局は、ステップ７１３に進んで、決定したノードに対する情報を次のホップ中継局に送信する。例えば、基地局は、放送情報又は別途の制御チャネルを利用して、決定したノードに対する情報を次のホップ中継局に送信する。
【０１６６】
ノードに対する情報を送信した後、基地局は、ステップ７１５に進んで、決定したノードに対するＡＣＫ／ＮＡＣＫメッセージを提供されるための多重制御チャネルを次のホップ中継局に割り当てる。
【０１６７】
多重制御チャネルを割り当てた後、基地局は、ステップ７０９に進んで、多重制御チャネルを次のホップ中継局に送信する。例えば、基地局は、図４又は図７のように、多重制御チャネル情報を次のホップ中継局に送信する。このとき、基地局は、多重制御チャネルの開始点及び終点情報のみを含む。したがって、基地局から多重制御チャネルを割り当てられた中継局は、ステップ７１３にて基地局と約束したノードに対するＡＣＫ／ＮＡＣＫメッセージを一定の順序に応じて多重制御チャネルに載せて基地局に送信する。
【０１６８】
以後、基地局は、本アルゴリズムを終了する。
【０１６９】
以下、無線通信システムいおける再送信のためのＡＣＫ／ＮＡＣＫメッセージを送信するための中継局のブロック構成について説明する。
【０１７０】
図１０は、本発明による多重ホップ中継方式を使用する無線通信システムにおける中継局のブロック構成を示している。以下では、送信部８００と受信部８２０とが互いに異なるアンテナを使用すると仮定して説明するが、送信部８００と受信部８２０とは、一つのアンテナを使用することもできる。
【０１７１】
図１０に示すように、中継局は、送信部８００、受信部８２０、送信部８００と受信部８２０とが共有するＡＲＱ制御部８４０、ＡＲＱ状態部８５０、ＡＲＱタイマー８６０、及びチャネル推定器８７０を備える。
【０１７２】
まず、送信部８００は、データ生成部８０１、チャネル符号器８０３、ＣＲＣ生成器８０５、変調器８０７、ＩＦＦＴ（Ｉｎｖｅｒｓｅ  Ｆａｓｔ  Ｆｏｕｒｉｅｒ  Ｔｒａｎｓｆｏｒｍ）演算器８０９、及びＲＦ処理器８１１を備える。
【０１７３】
データ生成部８０１は、データキュー８１３に格納されたデータとメッセージ生成器８１７から生成した制御メッセージとをＳＤＵ（Ｓｅｒｖｉｃｅ  Ｄａｔａ  Ｕｎｉｔ）生成器８１５に集めて、物理階層の送信のための一つのデータを生成する。ここで、メッセージ生成器８１７は、受信部８２０を介して受信したデータにエラーがないと、ＡＣＫメッセージを生成する。これに対し、メッセージ生成器８１７は、データにエラーが発生した場合、ＮＡＣＫメッセージを生成する。このとき、下位ノードから提供されたＡＣＫ／ＮＡＣＫメッセージがある場合、メッセージ生成器８１７は、中継局が受信したデータに対するＡＣＫ／ＮＡＣＫメッセージと下位ノードから提供されたＡＣＫ／ＮＡＣＫメッセージとを共に送信できるようにメッセージを生成する。
【０１７４】
チャネル符号器８０３は、データ生成部８０１から提供されたデータを該当変調水準（例：ＭＣＳレベル）に応じて符号化する。ＣＲＣ生成器８０５は、エラー検出コードを生成してチャネル符号器８０３から提供されたデータに追加して出力する。
【０１７５】
変調器８０７は、ＣＲＣ生成器８０５から提供されたデータを該当変調水準（例：ＭＣＳレベル）に応じて変調して出力する。
【０１７６】
ＩＦＦＴ演算器８０９は、変調器８０７から提供された周波数領域データを逆高速フーリエ変換して時間領域信号に変換する。
【０１７７】
ＲＦ処理器８１１は、ＩＦＦＴ演算器８０９から提供されたベースバンド信号を高周波（Ｒａｄｉｏ  Ｆｒｅｑｕｅｎｃｙ）信号に周波数アップ変換して、アンテナを介して上位ノード又は下位ノードに出力する。
【０１７８】
次に、受信部８２０は、ＲＦ処理器８２１、ＦＦＴ（Ｆａｓｔ  Ｆｏｕｒｉｅｒ  Ｔｒａｎｓｆｏｒｍ）演算器８２３、復調器８２５、ＣＲＣ除去器８２７、チャネル復号器８２９及びデータ処理部８３１を備える。
【０１７９】
ＲＦ処理器８２１は、上位ノード又は下位ノードからアンテナを介して受信した高周波信号をベースバンド信号に周波数ダウン変調して出力する。
【０１８０】
ＦＦＴ演算器８２３は、ＲＦ処理器８２１から提供された時間領域信号を高速フーリエ変換して、周波数領域信号に変換する。
【０１８１】
復調器８２５は、ＦＦＴ演算器８２３から提供された信号を該当変調水準に応じて復調して出力する。このとき、復調器８２５は、復調された信号をＣＲＣ除去器８２７とチャネル推定器８７０とに出力する。
【０１８２】
ＣＲＣ除去器８２７は、復調器８２５から提供された信号のエラー検出コードを確認して、信号のエラーの発生の有無を判断する。このとき、ＣＲＣ除去器８２７は、復調器８２５から提供された信号からエラー検出コードを除去する。
【０１８３】
チャネル復号器８２９は、ＣＲＣ除去器８２７から提供されたエラーのない信号を該当変調水準に応じて復号して出力する。
【０１８４】
データ処理部８３１のＳＤＵ処理器８３５は、チャネル復号器８２９から提供された物理階層信号からデータと制御メッセージとを分離する。その後、ＳＤＵ処理器８３５は、データを第２データキュー８３７に提供して格納し、制御メッセージは、メッセージ処理器８３３に提供して復号して確認する。ここで、第１データキュー８１３と第２データキュー８２７とは、同じデータキューでありうる。
【０１８５】
メッセージ処理部８３３は、下位ノードから受信されるＡＣＫ／ＮＡＣＫメッセージを確認する。また、メッセージ処理部８３３は、上位ノードから提供されたＡＣＫ／ＮＡＣＫメッセージのための多重制御チャネル情報を確認して、送信部８００に提供する。
【０１８６】
ＡＲＱ状態部８５０は、再送信されたデータに対するＡＲＱ状態を管理する。ＡＲＱタイマー８６０は、中継局の再送信のための有効時間（ｌｉｆｅ  ｔｉｍｅ）を管理する。
【０１８７】
ＡＲＱ制御機８４０は、ＡＲＱ状態部８５０及びＡＲＱタイマー８６０と連動して、中継局のＡＲＱに全般的な動作を制御する。このとき、ＡＲＱ制御機８４０は、送信部８００のデータ生成部８０１、チャネル符号器８０３及びＣＲＣ生成器８０５と通信しつつ再送信を制御する。例えば、受信部８２０を介して下位ノードから再送信要請が受信されると、ＡＲＱ制御機８４０は、送信部８００を制御して再送信要請信号を上位ノードへ送信するように制御する。また、上位ノードから再送信スケジューリング情報が受信されると、ＡＲＱ制御機８４０は、データキュー８１３に格納された上位ノードから提供されたデータをチャネル状態に応じて符号化し、エラー検出コードを挿入して再送信を要請した下位ノードに再送信されるように制御する。
【０１８８】
このとき、ＡＲＱ制御機８４０は、送信部８００が多重ＡＣＫ／ＮＡＣＫメッセージを送信できるように制御する。例えば、ＡＲＱ制御機８４０は、中継局が受信したデータに対するＡＣＫ／ＮＡＣＫメッセージと下位ノードから提供されたＡＣＫ／ＮＡＣＫメッセージとを上位ノードに共に送信できるように送信部８００を制御する。
【０１８９】
また、ＡＲＱ制御機８４０は、受信部８２０のデータ処理部８３１、チャネル復号器８２９及びＣＲＣ除去器８２７と通信しつつ再送信を制御する。例えば、ＣＲＣ除去器８２７で受信データにエラーが発生した場合、ＡＲＱ制御機８４０は、基地局に送信するためのＮＡＣＫ制御メッセージを生成するように、メッセージ生成器８１７を制御する。
【０１９０】
また、ＡＲＱ制御機８４０は、再送信手順の遂行中にＡＲＱタイマー８６０から有効時間終了メッセージを提供されると、再送信手順を終了する。
【０１９１】
以下、多重ホップ中継方式を使用する無線通信システムのダウンリンクにおける他のリンク構成を例に挙げて説明する。以下の説明で、無線通信システムは、データ送信の基本単位を一つのフレームと仮定する。ここで、フレームは、中継局でのダウンリンクデータ遅延（ＤＬ  ｂｕｒｓｔ  ｐｒｏｃｅｓｓｉｎｇ  Ｄｅｌａｙ）と端末でのＡＣＫ送信遅延（ＡＣＫ  ｆｅｅｄｂａｃｋ  Ｄｅｌａｙ）及び中継局でのＡＣＫ送信遅延（ＡＣＫ  ｆｏｒｗａｒｄｉｎｇ  Ｄｅｌａｙ）を考慮して決定された物理的なフレームと仮定する。
【０１９２】
図１１は、本発明の他の実施の形態による多重ホップ中継方式を使用する無線通信システムにおけるダウンリンクデータの送信手順を示している。
【０１９３】
図１１に示すように、無線通信システムは、基地局９００、第１中継局９０２、第１端末９０４、第２中継局９０６及び第２端末９０８を備える。ここで、第１端末９０４は、第１中継局９０２と通信する少なくとも一つの端末を表し、第２端末９０８は、第２中継局９０６と通信する少なくとも一つの端末を表す。
【０１９４】
まず、基地局９００から第２端末９０８へＨＡＲＱデータを送信する場合、基地局９００は、ｉ番目のフレーム９１０の間に第２端末９０８にデータ１を送信するためのスケジューリング情報１とデータ１とを第１中継局９０２に送信する（ステップ９３１）。例えば、スケジューリング情報は、ＩＥＥＥ８０２．１６標準で定義されたＨＡＲＱダウンリンクマップ情報を表す。
【０１９５】
第１中継局９０２は、基地局９００からスケジューリング情報１とデータ１とが受信されると、（ｉ＋１）番目のフレーム９１２の間に、スケジューリング情報１とデータ１とを第２中継局９０６に送信する（ステップ９３３）。このとき、データ１にエラーが発生していないと仮定する。
【０１９６】
第２中継局９０６は、第１中継局９０２からスケジューリング情報１とデータ１とが受信されると、（ｉ＋２）番目のフレーム９１４の間にスケジューリング情報１とデータ１とを第２端末９０８に送信する（ステップ９３７）。このとき、データ１にエラーが発生していないと仮定する。
【０１９７】
第２端末９０８は、第２中継局９０６からスケジューリング情報１とデータ１とが受信されると、スケジューリング情報１を介してＡＣＫ／ＮＡＣＫメッセージを送信するＡＣＫ送信区間（ＡＣＫ  Ａｌｌｏｃａｔｉｏｎ  ｒｅｇｉｏｎ）を確認する。
【０１９８】
その後、第２端末９０８は、（ｉ＋３）番目のフレーム９１６の間にＡＣＫ送信区間を介してデータ１に対するＡＣＫ／ＮＡＣＫメッセージを第２中継局９０６に送信する（ステップ９４１）。
【０１９９】
第２中継局９０６は、第２端末９０８からデータ１に対するＡＣＫ／ＮＡＣＫメッセージが受信されると、（ｉ＋４）番目のフレーム９１８の間にデータ１に対する端末９０８のＡＣＫ／ＮＡＣＫメッセージを第１中継局９０２に送信する（ステップ９４５）。
【０２００】
第１中継局９０２は、第２中継局９０６からデータ１に対する第２端末９０８のＡＣＫ／ＮＡＣＫメッセージが受信されると、（ｉ＋５）番目のフレーム９２０の間にデータ１に対する第２端末９０８のＡＣＫ／ＮＡＣＫメッセージを基地局９００に送信する（ステップ９４７）。
【０２０１】
次に、基地局９００から第１端末９０４へＨＡＲＱデータを送信する場合、基地局９００は、（ｉ＋２）番目のフレーム９１４の間に第１端末９０４にデータ２を送信するためのスケジューリング情報２とデータ２とを第１中継局９０２に送信する（ステップ９３５）。例えば、スケジューリング情報は、ＩＥＥＥ８０２．１６標準で定義されたＨＡＲＱダウンリンクマップ情報を表す。
【０２０２】
第１中継局９０２は、基地局９００からスケジューリング情報２とデータ２とが受信されると、（ｉ＋３）番目のフレーム９１６の間にスケジューリング情報２とデータ２とを第１端末９０４に送信する（ステップ９３９）。このとき、データ２にエラーが発生していないと仮定する。
【０２０３】
第１端末９０４は、第１中継局９０２からスケジューリング情報２とデータ２とが受信されると、スケジューリング情報２を介してＡＣＫ／ＮＡＣＫメッセージを送信するＡＣＫ送信区間（ＡＣＫ  Ａｌｌｏｃａｔｉｏｎ  ｒｅｇｉｏｎ）を確認する。
【０２０４】
その後、第１端末９０４は、（ｉ＋４）番目のフレーム９１８の間にＡＣＫ送信区間を介して、データ２に対するＡＣＫ／ＮＡＣＫメッセージを第１中継局９０２に送信する（ステップ９４３）。
【０２０５】
第１中継局９０２は、第１端末９０４からデータ２に対するＡＣＫ／ＮＡＣＫメッセージが受信されると、（ｉ＋５）番目のフレーム９２０の間にデータ２に対する第１端末９０４のＡＣＫ／ＮＡＣＫメッセージを基地局９００に送信する。
【０２０６】
上述したように、第１中継局９０２は、（ｉ＋５）番目のフレームの間に第１端末９０４に送信したデータ２に対するＡＣＫ／ＮＡＣＫメッセージと、第２端末９０８に送信したデータ１に対するＡＣＫ／ＮＡＣＫメッセージとを基地局９００に送信する。すなわち、中継局は、基地局と端末との間で異なる時間フレームから送信されたデータに対する多重ＡＣＫ／ＮＡＣＫメッセージを上位ノード（例：基地局又は上位中継局）に送信する。
【０２０７】
したがって、上位ノードは、下位ノードが多重ＡＣＫ／ＮＡＣＫメッセージを送信できるように、下記図１０に示すように、多重ＡＣＫ／ＮＡＣＫメッセージに対する制御チャネルを下位ノードに割り当てる。ここで、下記の図１２と図１３は、基地局が中継局１に多重ＡＣＫ／ＮＡＣＫメッセージのための制御チャネルを割り当てることを例に挙げて説明する。
【０２０８】
図１２と図１３は、本発明の他の実施の形態による多重ホップ中継方式を使用する無線通信システムにおけるダウンリンクデータに対するＡＣＫ／ＮＡＣＫのスケジューリング情報を送信するためのフレーム構造を示している。
【０２０９】
図１２と図１３に示すように、基地局は、中継局１がダウンリンクデータに対するＡＣＫ／ＮＡＣＫメッセージを多重チャネルに送信できるように、多重チャネルを割り当てる。
【０２１０】
まず、図１２に示すように、基地局は、ダウンリンク副フレーム１０００のアップリンクマップ（ＵＬ−ＭＡＰ）を利用して、端末１に対するＡＣＫ送信領域と端末２に対するＡＣＫ送信領域とを互いに異なるように割り当てて中継局１に送信する。このとき、基地局は、中継局１に送信する資源割り当て情報を、端末１に対する割り当て情報と端末２に対する割り当て情報とに応じて構成する。
【０２１１】
中継局１は、基地局からＡＣＫ領域スケジューリング情報１００１、１００３を介して割り当てられた資源割り当て情報に応じて、アップリンク副フレーム１０１０の互いに異なる領域を利用して端末１に対するＡＣＫ／ＮＡＣＫメッセージ１０１１と端末２に対するＡＣＫ／ＮＡＣＫメッセージ１０１３とを基地局に送信する。
【０２１２】
次に、図１３に示すように、基地局は、ダウンリンク副フレーム１０２０のアップリンクマップのＡＣＫ領域スケジューリング情報１０２１を利用して、端末１と端末２のＡＣＫ送信領域１０３１、１０３３を一つのアップリンクフレーム領域に割り当てて中継局１に送信する。この場合、無線通信システムは、図１２に比べてダウンリンクスケジューリングに応じるオーバーヘッドを減らすことができる。
【０２１３】
だが、図１３に示すように、ＡＣＫ送信領域を割り当てる場合、基地局は、アップリンク副フレームの領域に割り当てられた一つのＡＣＫ送信領域で端末１と端末２のＡＣＫ情報を区分することのできる情報を中継局１に送信しなければならない。例えば、基地局は、ＡＣＫ送信領域に対するスケジューリング情報に、先に提供された端末のＡＣＫ／ＮＡＣＫメッセージの終点情報又は次に割り当てた端末のＡＣＫ／ＮＡＣＫメッセージの開始点情報を含める。
【０２１４】
他の実施の形態として中継局１は、基地局と約束されたデータの送信順序に応じて端末のＡＣＫ／ＮＡＣＫメッセージを送信する。例えば、図１１に示すように、基地局は、ｉ番目のフレーム９１０の間にデータ１を送信した後、（ｉ＋２）番目のフレーム９１４の間にデータ２を送信する。したがって、中継局１は、（ｉ＋５）番目のフレーム９２０の間に基地局からまず送信したデータ１に対する端末２のＡＣＫ／ＮＡＣＫメッセージをまず送信する。次に、中継局１は、データ２に対する端末２のＡＣＫ／ＮＡＣＫメッセージを送信する。
【０２１５】
このとき、中継局１は、データ２に対する端末２のＡＣＫ／ＮＡＣＫメッセージを送信した後、データ１に対する端末１のＡＣＫ／ＮＡＣＫメッセージを送信することができる。
【０２１６】
万一、基地局からデータ１とデータ２とを同じダウンリンク副フレームの間に送信して、中継局１から同じアップリンク副フレームの間にデータ１とデータ２に対するＡＣＫ／ＮＡＣＫメッセージを送信する場合にも、中継局１は、基地局からスケジューリングされて送信されたデータの順序に応じて、ＡＣＫ／ＮＡＣＫメッセージを順次送信できる。
【０２１７】
したがって、基地局は、中継局１に次のホップ端末から提供されたＡＣＫ／ＮＡＣＫメッセージを割り当てるアップリンクフレームの領域情報のみを知らせるとよい。
【０２１８】
上述したように、基地局でＩＥＥＥ８０２．１６標準で定義されたＡＣＫ  Ｒｅｇｉｏｎ  Ａｌｌｏｃａｔｉｏｎ情報要素というマップ制御メッセージを利用して、下位中継局にＡＣＫ／ＮＡＣＫメッセージを送信する領域情報を送信することができる。ここで、マップ制御メッセージには、下位中継局のＩＤとアップリンクＡＣＫ送信領域情報とがＯＦＤＭ副チャネル及びＯＦＤＭシンボル単位で表示される。
【０２１９】
万一、図１２に示す方式を使用する場合、基地局は、マップ制御メッセージに多重ＡＣＫチャネルの各々の終点又は開始点情報を含める。一方、図１３に示す方式を使用する場合、基地局は、マップ制御メッセージに追加的な情報を含めずに、基地局と中継局との間で約束された順序に応じて、多重ＡＣＫチャネルの送信が可能である。
【０２２０】
上述したように、多重ホップ中継方式を使用する無線通信システムの上位ノードからデータ再送信のための制御メッセージに対する多重制御チャネルを下位ノードに送信することによって、中継局は、下位ノードから提供された自動再送信要請（Ａｕｔｏｍａｔｉｃ  Ｒｅｔｒａｎｓｍｉｓｓｉｏｎ  ｒｅＱｕｅｓｔ）のための制御メッセージと自身が送信する自動再送信要請のための制御メッセージとを同時に上位ノードに送信できるという利点がある。
【０２２１】
一方、本発明の詳細な説明では具体的な実施の形態について説明したが、本発明の範囲から逸脱しない範囲内で、様々な変形が可能であることはもちろんである。従って、本発明の範囲は、説明された実施の形態に限定されて決められてはならず、後述する特許請求の範囲の記載による範囲及びそれと均等なものによって決定されるべきである。
【図１】
0005643852.tif 000002
【図２】
0005643852.tif 000003
【図３】
0005643852.tif 000004
【図４】
0005643852.tif 000005
【図５】
0005643852.tif 000006
【図６】
0005643852.tif 000007
【図７】
0005643852.tif 000008
【図８】
0005643852.tif 000009
【図９】
0005643852.tif 000010
【図１０】
0005643852.tif 000011
【図１１】
0005643852.tif 000012
【図１２】
0005643852.tif 000013
【図１３】
0005643852.tif 000014